(57)【要約】【課題】エラーの発生を知られたくない人にエラー報知音が聴こえてしまう事態の発生を防止する。【解決手段】遊技機１は、第１音声出力装置３２ａと、第１音声出力装置３２ａよりも鋭い指向性を持った第２音声出力装置３２ｂとを有している。第２音声出力装置３２ｂは遊技者の方向に強い指向性を持った指向性スピーカである。遊技機１は、遊技者にだけ知らせればよいエラーである皿満タンエラーが発生した場合のエラー報知音を第２音声出力装置３２ｂから出力する。それ以外のエラーが発生した場合のエラー報知音を第１音声出力装置３２ａから出力する。【選択図】図１３
2016013334.tif 000002
【特許請求の範囲】
【請求項１】
第１の音声出力手段と、
前記第１の音声出力手段よりも強い指向性を持った第２の音声出力手段と、
複数種類のエラーを夫々検出可能なエラー検出手段と、
前記エラー検出手段によってエラーの発生が検出された場合に、前記第１及び第２の音声出力手段のうち当該エラーの種類に応じた音声出力手段を選択し、選択した音声出力手段から報知音を出力させるエラー報知制御手段と
を具備することを特徴とする遊技機。
【請求項２】
前記複数種類のエラーは、遊技者に向けて報知する種類の特定エラーを含み、
前記第２の音声出力手段の指向軸は、遊技機の正面における遊技者に向けられており、
前記エラー報知制御手段は、
前記エラー検出手段によって検出されたエラーが前記特定エラーである場合に、前記第２の音声出力手段を選択する
ことを特徴とする請求項１に記載の遊技機。
【請求項３】
前記複数種類のエラーは、遊技者以外の特定の者に報知する種類の特定エラーを含み、
前記第２の音声出力手段の指向軸は、前記特定の者に向けられており、
前記エラー報知制御手段は、
前記エラー検出手段によって検出されたエラーが前記特定エラーである場合に、前記第２の音声出力手段を選択する
ことを特徴とする請求項１に記載の遊技機。
【発明の詳細な説明】
【技術分野】
【０００１】
本発明は、各種エラーを報知する機能をもった遊技機に関する。
【背景技術】
【０００２】
従来の遊技機は、遊技の進行の妨げとなる各種エラーが発生した場合に、エラー報知音の放音等を通じてエラーを報知するようになっている。エラーの種類には、皿満タンエラーや異常入賞エラーなどがある。遊技機のエラーの報知に関わる技術を開示した文献として、特許文献１や２などがある。文献１の技術は、皿満タンエラーが検出された場合における報知音の出力音量を、大入賞口が長開放であるときと短開放であるときとで変えるようにしたものである。文献２の技術は、複数種類のエラーが発生した場合におけるエラー報知の実行を、エラー報知情報記憶手段に記憶され且つ現在の遊技状態に対応する報知優先順位に従った順序で実行させるものである。
【先行技術文献】
【特許文献】
【０００３】
【特許文献１】特開２０１０−１５５１５５号公報
【特許文献２】特開２０１２−６５９８８号公報
【発明の概要】
【発明が解決しようとする課題】
【０００４】
従来の遊技機では、エラーの発生を検知した場合、エラーの種類に関わらず、そのエラー報知音が同じスピーカから同じ発音態様の音として出力されていた。
【０００５】
本発明は、このような課題に鑑みてなされたものであり、遊技機のエラーの種類によって報知態様を異ならせることを目的とする。
【課題を解決するための手段】
【０００６】
上記課題を解決するため、第１の発明は、第１の音声出力手段と、前記第１の音声出力手段よりも強い指向性を持った第２の音声出力手段と、複数種類のエラーを夫々検出可能なエラー検出手段と、前記エラー検出手段によってエラーの発生が検出された場合に、前記第１及び第２の音声出力手段のうち当該エラーの種類に応じた音声出力手段を選択し、選択した音声出力手段から報知音を出力させるエラー報知制御手段とを具備することを特徴とする。
【０００７】
第２の発明は、前記複数種類のエラーは、遊技者に向けて報知する種類の特定エラーを含み、前記第２の音声出力手段の指向軸は、遊技機の正面における遊技者に向けられており、前記エラー報知制御手段は、前記エラー検出手段によって検出されたエラーが前記特定エラーである場合に、前記第２の音声出力手段を選択することを特徴とする。
【０００８】
第３の発明は、前記複数種類のエラーは、遊技者以外の特定の者に報知する種類の特定エラーを含み、前記第２の音声出力手段の指向軸は、前記特定の者に向けられており、前記エラー報知制御手段は、前記エラー検出手段によって検出されたエラーが前記特定エラーである場合に、前記第２の音声出力手段を選択することを特徴とする。
【発明の効果】
【０００９】
本発明によれば、遊技機のエラーの種類によって報知態様を異ならせることが可能となる。
【図面の簡単な説明】
【００１０】
【図１】本発明の第１実施形態である遊技機の正面図である。
【図２】同遊技機の背面側の斜視図である。
【図３】同遊技機の構成を示すブロック図である。
【図４】同遊技機の画像表示装置の表示画面を示す図である。
【図５】同遊技機の装飾図柄の演出画像を示す図である。
【図６】同遊技機の大当たり抽選判定テーブル及び普通図柄抽選判定テーブルを示す図である。
【図７】同遊技機の大当たり図柄決定テーブル及びハズレ図柄決定テーブルを示す図である。
【図８】同遊技機の特別電動役物作動態様決定テーブルを示す図である。
【図９】同遊技機の大当たりの大入賞口開放態様決定テーブル群を示す図である。
【図１０】同遊技機の特別図柄の変動パターン決定テーブルを示す図である。
【図１１】同遊技機の事前判定テーブルを示す図である。
【図１２】同遊技機の図柄変動演出パターン決定テーブルを示す図である。
【図１３】同遊技機のエラー報知態様決定テーブルを示す図である。
【図１４】同遊技機の主制御基板のメイン処理を示すフローチャートである。
【図１５】同遊技機の主制御基板のタイマ割込処理を示すフローチャートである。
【図１６】同遊技機の入力制御処理の詳細を示すフローチャートである。
【図１７】同遊技機の第１始動口検出スイッチ入力処理の詳細を示すフローチャートである。
【図１８】同遊技機の特図特電制御処理の詳細を示すフローチャートである。
【図１９】同遊技機の特別図柄記憶判定処理の詳細を示すフローチャートである。
【図２０】同遊技機の大当たり判定処理の詳細を示すフローチャートである。
【図２１】同遊技機の特別図柄変動処理の詳細を示すフローチャートである。
【図２２】同遊技機の特別図柄停止処理の詳細を示すフローチャートである。
【図２３】同遊技機の大当たり遊技処理の詳細を示すフローチャートである。
【図２４】同遊技機の大当たり遊技終了処理の詳細を示すフローチャートである。
【図２５】同遊技機の普図普電制御処理の詳細を示すフローチャートである。
【図２６】同遊技機の演出制御基板のメイン処理を示すフローチャートである。
【図２７】同遊技機の演出制御基板のタイマ割り込み処理を示すフローチャートである。
【図２８】同遊技機のコマンド解析処理の詳細を示すフローチャートである。
【図２９】同遊技機のコマンド解析処理の詳細を示すフローチャートである。
【図３０】本発明の第２実施形態である遊技機のエラー報知態様決定テーブルを示す図である。
【発明を実施するための形態】
【００１１】
以下、図面を参照しつつ本発明の実施形態について説明する。
＜第１実施形態＞
図１は、本発明の第１実施形態である遊技機１の正面図である。図２は、遊技機１の背面側の斜視図である。図３は、遊技機１全体の構成を示すブロック図である。図１に示すように、遊技機１の筐体は、略矩形状の外枠６０と、外枠６０の遊技領域６を視認可能に覆うガラス枠５０とを有している。
【００１２】
ガラス枠５０の一端部（遊技機１に正対して左側）はヒンジ機構部５１を介して外枠６０に連結されている。ガラス枠５０の他端部（遊技機１に正対して右側）にはロック機構が設けられている。ガラス枠５０のロック機構を専用の鍵により開錠すると、ガラス枠５０をヒンジ機構部５１を支点として揺動させて遊技領域６を開放することができる。ガラス枠５０には、ガラス枠５０の開放を検出する扉開放スイッチ１３３が設けられている。
【００１３】
ガラス枠５０における遊技領域６を覆う部分の外側には、第１特別図柄表示装置２０、第２特別図柄表示装置２１、第１特別図柄保留表示器２３、第２特別図柄保留表示器２４、普通図柄表示装置２２、及び普通図柄保留表示器２５が設けられている。
【００１４】
第１特別図柄表示装置２０は、遊技領域６の第１始動口１４への遊技球の入球（以下、適宜「始動入賞」という）を契機として行われた大当たり抽選の抽選結果を報知するものである。第２特別図柄表示装置２１は、遊技領域６の第２始動口１５への遊技球の入球（以下、適宜「始動入賞」という）を契機として行われる大当たり抽選の抽選結果を報知するものである。第１特別図柄表示装置２０及び第２特別図柄表示装置２１は、各々が識別可能な複数種類の特別図柄を変動可能に表示する。第１特別図柄表示装置２０及び第２特別図柄表示装置２１は、７セグメントのＬＥＤで構成されている。以降の説明では、第１特別図柄表示装置２０において変動表示される特別図柄を適宜「第１特別図柄」と呼び、第２特別図柄表示装置２１において変動表示される特別図柄を適宜「第２特別図柄」と呼ぶ。
【００１５】
第１特別図柄保留表示器２３は、第１始動口１４の始動入賞を契機とする大当たり抽選の権利の保留数を表示するものである。第２特別図柄保留表示器２４は、第２始動口１５の始動入賞を契機とする大当たり抽選の権利の保留数を表示するものである。
【００１６】
ここで、第１特別図柄の変動の保留は、第１始動口１４の始動入賞により第１特別図柄の変動を実行するための始動条件は成立したが、先に成立した始動条件の成立に基づく第１特別図柄又は第２特別図柄の変動が実行中であるときや遊技機１が特別遊技を実行中であるときに発生する。
【００１７】
同様に、第２特別図柄の変動の保留は、第２始動口１５の始動入賞により第２特別図柄の変動を実行するための始動条件は成立したが、先に成立した始動条件の成立に基づく第１特別図柄又は第２特別図柄の変動が実行中であるときや遊技機１が特別遊技を実行中であるときに発生する。
【００１８】
第１特別図柄保留表示器２３及び第２特別図柄保留表示器２４の各々は左右２つのＬＥＤから構成される。第１特別図柄保留表示器２３及び第２特別図柄保留表示器２４における保留数の表示態様について具体的に説明すると、第１特別図柄保留表示器２３では、第１特別図柄の変動の保留数が１個の場合には左のＬＥＤが点灯する。第１特別図柄の変動の保留数が２個の場合には右のＬＥＤが点灯する。第１特別図柄の変動の保留数が３個の場合には左のＬＥＤが点滅し、右のＬＥＤが点灯する。第１特別図柄の変動の保留数が４個の場合には左右２つのＬＥＤが点滅する。第２特別図柄保留表示器２４における保留数の表示態様は第１特別図柄保留表示器２３のそれと同じである。
【００１９】
普通図柄表示装置２２は、普通図柄ゲート１３を遊技球が通過したことを契機として行われる普通図柄抽選の抽選結果を報知するものである。普通図柄表示装置２２は、各々を識別可能な複数種類の普通図柄を変動表示する。普通図柄保留表示器２５は、普通図柄抽選の権利の保留数を表示するものである。普通図柄保留表示器２５は、左右２つのＬＥＤから構成される。普通図柄保留表示器２５における保留数の表示態様は第１特別図柄保留表示器２３及び第２特別図柄保留表示器２４のそれと同じである。
【００２０】
遊技機１の遊技領域６は略卵状をなしている。遊技領域６は、左右方向の中心よりも左側の左領域６Ｌと右側の右領域６Ｒとに分かれている。左領域６Ｌの左端部には、互いの間に遊技球よりも僅かに広い間隔を開けて弧状に延伸するレール５ａ、５ｂが設けられている。これらのレール５ａ、５ｂのうち内側のレール５ｂの上端部には球戻り防止片５ｃが設けられている。
【００２１】
遊技機１のガラス枠５０における遊技領域６を挟んで上下に離間した各位置には上下各５個の演出用照明装置３４が設けられている。上下各５個の演出用照明装置３４は左右方向に一列に並んでいる。演出用照明装置３４は、ランプ制御基板１４０による制御の下、照明による遊技の演出（ランプの発光色の変更や光の照射方向の変更）を行う。ガラス枠５０における上側の演出用照明装置３４を間に挟んで左右に離間した各位置には、第１音声出力装置３２ａが設けられている。第１音声出力装置３２ａは、左右２チャネルのステレオスピーカである。遊技機１の筐体の右下には、第２音声出力装置３２ｂが設けられている。第２音声出力装置３２ｂは、第１音声出力装置３２ａよりも強い指向性をもった指向性スピーカである。ここで、この第２音声出力装置３２ｂの指向軸は、遊技機１００の正面における遊技者に向けられている。第１音声出力装置３２ａは、画像制御基板１５０による制御の下、音響による遊技の演出（ＢＧＭ（バックグランドミュージック）やＳＥ（サウンドエフェクト）などの放音）を行う。また、第１音声出力装置３２ａ及び第２音声出力装置３２ｂは、遊技機１００における各種のエラーが発生した場合に、画像制御基板１５０による制御の下、エラー報知音を出力する。エラー報知音の出力に関わる処理の詳細は、後述する。
【００２２】
ガラス枠５０における遊技領域６を覆う部分の下には、演出ボタン３５が設けられている。ガラス枠５０における演出ボタン３５の下には受け皿４０が設けられている。ガラス枠５０における下側の演出用照明装置３４の右には、操作ハンドル３が設けられている。遊技者は、自身の右手で操作ハンドル３を握って時計回り方向に回す操作である発射操作を行う。
【００２３】
操作ハンドル３内にはタッチセンサ３ａが設けられている。タッチセンサ３ａは、遊技者の操作ハンドル３への接触による静電容量の変化を利用した静電容量型の近接スイッチから構成される。ガラス枠５０の受け皿４０には、玉送りソレノイド４ｂが設けられている。玉送りソレノイド４ｂは、直進ソレノイドから構成される。操作ハンドル３の回動部の近傍には、発射ボリューム３ｂと発射用ソレノイド４ａが設けられている。発射ボリューム３ｂは、可変抵抗器から構成される。発射用ソレノイド４ａは、ロータリーソレノイドから構成される。
【００２４】
これらの各部３ａ、３ｂ、４ａ、４ｂは、発射制御基板１６０による制御の下、受け皿４０内の遊技球の遊技領域６への発射に関わる動作を行う。より具体的に説明すると、遊技者の手が操作ハンドル３に触れると、タッチセンサ３ａは、そのことを示すタッチ信号を発射制御基板１６０に供給する。遊技者の手が操作ハンドル３を回すと、発射ボリューム３ｂは、操作ハンドル３の回転量に応じて分圧した電圧を発射制御基板１６０に出力する。発射制御基板１６０は、タッチセンサ３ａからタッチ信号が供給されている間、発射ボリューム３ｂの出力電圧に基づいて発射用ソレノイド４ａや玉送りソレノイド４ｂを通電する制御を行う。
【００２５】
発射制御基板１６０の通電制御により、玉送りソレノイド４ｂは、受け皿４０にある遊技球を発射用ソレノイド４ａに直結された打出部材に向けて１個ずつ送り出す。発射用ソレノイド４ａは、打出部材を回転させる。受け皿４０から打出部材に向けて送り出された遊技球は、この打出部材の回転によってレール５ａ及び５ｂ間に打ち出され、レール５ａ及び５ｂに導かれて上昇する。レール５ａ及び５ｂ間を上昇した遊技球は、球戻り防止片５ｃを通過して遊技領域６に達し、遊技領域６内を予測不可能に落下する。
【００２６】
ここで、発射用ソレノイド４ａの回転速度は、発射制御基板１６０に設けられた水晶発振器の出力周期に基づく周波数から、約９９．９（回／分）に設定されている。これにより、１分間における発射遊技数は、発射ソレノイドが１回転する毎に１個発射されるため、約９９．９（個／分）となる。すなわち、１個の遊技球は約０．６秒毎に発射されることになる。
【００２７】
遊技領域６における天辺の真中から僅かに下方に離れた位置には、演出用駆動装置３３が設けられている。演出用駆動装置３３は、ベルトを模擬した形状を有している。演出用駆動装置３３は、ランプ制御基板１４０による制御の下、装置３３自体の動きによる遊技の演出を行う。
【００２８】
遊技領域６における演出用駆動装置３３から左右に同じ距離だけ離れた各位置には左右一対の飾り部材７が設けられている。遊技領域６における左領域６Ｌの下方には複数個の一般入賞口１２が設けられている。一般入賞口１２には、一般入賞口１２における遊技球の通過を検出する一般入賞口検出スイッチ１２ａが設けられている。一般入賞口検出スイッチ１２ａが遊技球の通過を検出すると、所定個数（例えば１０個）の賞球が払い出される。
【００２９】
遊技領域６における右領域６Ｒの下方には第１大入賞口１６が設けられている。第１大入賞口１６は横長の矩形状をなしている。第１大入賞口１６には、第１大入賞口１６における遊技球の入球を検出する第１大入賞口検出スイッチ１６ａが設けられている。第１大入賞口検出スイッチ１６ａが遊技球の入球を検出すると、所定個数（例えば１５個）の遊技球が払い出される。
【００３０】
第１大入賞口１６には、特別電動役物である第１大入賞口開閉扉１６ｂ、及びこの第１大入賞口開閉扉１６ｂの開閉を切り替える第１大入賞口開閉ソレノイド１６ｃが設けられている。第１大入賞口開閉扉１６ｂは、第１大入賞口１６と略同寸法の矩形板状をなしている。第１大入賞口開閉扉１６ｂの下縁は第１大入賞口１６の下縁に揺動自在に枢着されている。第１大入賞口開閉ソレノイド１６ｃがオフになると、第１大入賞口開閉扉１６ｂは遊技領域６の盤面と略面一に起立して第１大入賞口１６を塞いだ閉鎖状態になる。第１大入賞口開閉ソレノイド１６ｃがオンになると、第１大入賞口開閉扉１６ｂは第１大入賞口１６の下縁を支点として前方に傾れた開放状態になる。
【００３１】
第１大入賞口開閉扉１６ｂが閉鎖状態にある間は、第１大入賞口１６の上方から落下してくる遊技球は、第１大入賞口１６の前をそのまま通過する。このため、第１大入賞口開閉扉１６ｂが閉鎖状態にある間は、遊技球は第１大入賞口１６に入球しなくなる。一方、第１大入賞口開閉扉１６ｂが開放状態にある間は、第１大入賞口１６の上方から落下してくる遊技球の多くは、第１大入賞口開閉扉１６ｂの上方を向いた受け皿面に当たって第１大入賞口１６の側に導かれる。このため、第１大入賞口開閉扉１６ｂが開放状態にある間は、遊技球は第１大入賞口１６に入球し易くなる。
【００３２】
遊技領域６の右領域６Ｒにおける飾り部材７から下方に離れた位置には第２大入賞口１７が設けられている。第２大入賞口１７には、第２大入賞口１７における遊技球の入球を検出する第２大入賞口検出スイッチ１７ａが設けられている。第２大入賞口検出スイッチ１７ａが遊技球の入球を検出すると、所定個数（例えば１５個）の遊技球が払い出される。
【００３３】
第２大入賞口１７には、特別電動役物である１つの可動片１７ｂ、及びこの可動片１７ｂの開閉を切り替える第２大入賞口開閉ソレノイド１７ｃが設けられている。可動片１７ｂの基端は第２大入賞口１７の右端に揺動自在に枢着されている。第２大入賞口開閉ソレノイド１７ｃがオフになると、可動片１７ｂは第２大入賞口１７を塞ぐ閉鎖状態になる。第２大入賞口開閉ソレノイド１７ｃがオンになると、可動片１７ｂは右側に揺動した開放状態になる。
【００３４】
可動片１７ｂが閉鎖状態にある間は、第２大入賞口１７の上方から落下してくる遊技球は、可動片１７ｂに当たって側方に跳ね返る。このため、可動片１７ｂが閉鎖状態にある間は、遊技球は第２大入賞口１７に入球しなくなる。一方、可動片１７ｂが開放状態にある間は、第２大入賞口１７の上方から落下してくる遊技球の多くは、可動片１７ｂに当たって第２大入賞口１７に到達する。このため、可動片１７ｂが開放状態にある間は、遊技球は第２大入賞口１７に入球し易くなる。
【００３５】
ここで、本実施形態では、第１大入賞口１６及び第２大入賞口１７のうち一方が開放されないときに他方が開放されるようになっており、第１大入賞口１６及び第２大入賞口１７が同時に開放されることがないように構成されている。
【００３６】
遊技領域６における中央の下方には、第１始動口１４及び第２始動口１５がある。第１始動口１４及び第２始動口１５は上下方向に並んでいる。第１始動口１４には、第１始動口１４における遊技球の通過を検出する第１始動口検出スイッチ１４ａが設けられている。第１始動口検出スイッチ１４ａが遊技球の通過を検出すると、所定個数（例えば、３個）の賞球が払い出される。
【００３７】
第２始動口１５には、第２始動口１５における遊技球の通過を検出する第２始動口検出スイッチ１５ａが設けられている。第２始動口検出スイッチ１５ａが遊技球の通過を検出すると、所定個数（例えば、３個）の賞球が払い出される。
【００３８】
第２始動口１５には、普通電動役物である一対の可動片１５ｂ、及び可動片１５ｂの開閉を切り替える始動口開閉ソレノイド１５ｃが設けられている。始動口開閉ソレノイド１５ｃがオフになると、可動片１５ｂは各々が直立した閉鎖状態になる。始動口開閉ソレノイド１５ｃがオンになると、可動片１５ｂが逆ハの字状に傾いた開放状態になる。可動片１５ｂが閉鎖状態にある間は、第２始動口１５の左右斜め上方から第２始動口１５に向かって落下してくる遊技球の多くは、可動片１５ｂの外面に当たって跳ね返る。このため、可動片１５ｂが閉鎖状態にある間は、遊技球は第２始動口１５を通過し難くなる。一方、可動片１５ｂが開放状態にある間は、第２始動口１５の左右斜め上方から第２始動口１５に向かって落下してくる遊技球の多くは、可動片１５ｂの内面に導かれて第２始動口１５に到達する。このため、可動片１５ｂが開放状態にある間は、遊技球は第２始動口１５を通過し易くなる。
【００３９】
遊技領域６の右領域６Ｒにおける第１大入賞口１６から上方に僅かに離れた位置には普通図柄ゲート１３が設けられている。普通図柄ゲート１３には、普通図柄ゲート１３における遊技球の通過を検出するゲート検出スイッチ１３ａが設けられている。
【００４０】
ここで、この遊技機１では、第１始動口１４の始動入賞による第１特別図柄の始動条件の成立、及び第２始動口１５の始動入賞による第２特別図柄の始動条件の成立を契機として大当たり抽選が実行され、大当たりに当選した場合は、第１特別図柄及び第２特別図柄のうち該当のものが所定期間の変動表示を経て大当たりの種類に応じた図柄で停止し、この停止図柄が示す大当たりの種類に応じた特別遊技が実行される。特別遊技では、第１大入賞口１６又は第２大入賞口１７の入賞個数が規定個数に達するか開放時間が規定時間に達するまでの間の第１大入賞口１６又は第２大入賞口１７の開放を１ラウンドのラウンド遊技とし、このラウンド遊技を１５回（第１ラウンド〜第１５ラウンド）に亘って繰り返す。ここで、本遊技機１の大当たりには次の９つの種類がある。
【００４１】
ａ１．第１確変長当たり
この大当たりは、第１特別図柄の始動条件の成立を契機とする大当たり抽選の抽選結果が大当たりの場合に選ばれ得るものの１つである。この大当たりに当選した場合の特別遊技の第１ラウンド〜第１５ラウンドの各ラウンド遊技では、第１大入賞口１６の入賞個数が規定個数（例えば９個）に達するか２９秒が経過するまでの第１大入賞口１６の開放→２秒間の第１大入賞口１６の閉鎖、という開閉態様で第１大入賞口１６を開閉する。
【００４２】
この大当たりに当選した場合、特別遊技の終了後の大当たり抽選に関わる遊技状態が、低確率遊技状態（大当たり抽選の当選確率が２／５９９となる状態）及び高確率遊技状態（大当たり抽選の当選確率が２０／５９９となる状態）の２状態のうち遊技者に有利な高確率遊技状態になる。
【００４３】
また、この大当たりに当選した場合、特別遊技の終了後の普通電動役物（可動片１５ｂ）に関わる遊技状態が、電チューサポート状態（可動片１５ｂが頻繁に長時間開放されて第２始動口１５が始動入賞し易くなる状態）及び非電チューサポート状態（可動片１５ｂが開放され難くなる状態）の２状態のうち遊技者に有利な電チューサポート状態になり、特別図柄に関わる遊技状態が、時間短縮状態（特別図柄の変動時間が相対的に短くなる状態）及び非時間短縮状態（特別図柄の変動時間が相対的に長くなる状態）の２状態のうち遊技者に有利な時間短縮状態となる。普通電動役物に関わる状態と特別図柄に関わる状態は互いに従属しており、普通電動役物に関わる状態が電チューサポート状態となるときは特別図柄に関わる状態は時間短縮状態となる。以降の説明では、普通電動役物に関わる状態が電チューサポート状態であり且つ特別図柄に関わる状態が時間短縮状態である状態を「時短遊技状態」と呼び、普通電動役物に関わる状態が非電チューサポート状態であり且つ特別図柄に関わる状態が非時間短縮状態である状態を「非時短遊技状態」と呼ぶ。
【００４４】
本遊技機１は、非時短遊技状態の間は、普通図柄抽選の当選確率が１／６５５３６となり、普通図柄の変動時間が２９秒となり、普通図柄抽選の当選１回あたりの第２始動口１５の可動片１５ｂの開放時間が０．２秒となる。また、時短遊技状態の間は、普通図柄抽選の当選確率が６５５３５／６５５３６となり、普通図柄の変動時間が３秒となり、普通図柄抽選の当選１回あたりの第２始動口１５の可動片１５ｂの開放時間が３．５秒となる。
【００４５】
ｂ１．第１確変発展当たり１
この大当たりは、第１特別図柄の始動条件の成立を契機とする大当たり抽選の抽選結果が大当たりの場合に選ばれ得るものの１つである。この大当たりに当選した場合の特別遊技の第１〜第２ラウンドの各ラウンド遊技では、第２大入賞口１７の入賞個数が規定個数（例えば９個）に達するか６秒が経過するまでの第２大入賞口１７の開放→２秒間の第２大入賞口１７の閉鎖→第２大入賞口１７の入賞個数が規定個数に達するか６秒が経過するまでの第２大入賞口１７の開放→２秒間の第２大入賞口１７の閉鎖→第２大入賞口１７の入賞個数が規定個数に達するか６秒が経過するまでの第２大入賞口１７の開放→２秒間の第２大入賞口１７の閉鎖、という開閉態様で第２大入賞口１７を開閉する。また、第３〜第１５ラウンドの各ラウンド遊技では、第２大入賞口１７の入賞個数が規定個数に達するか０．０５２秒が経過するまでの第２大入賞口１７の開放→２秒間の第２大入賞口１７の閉鎖、という開閉態様で第２大入賞口１７を開閉する。この大当たりに当選した場合、特別遊技の終了後の遊技状態は、高確率遊技状態且つ時短遊技状態になる。
【００４６】
ｃ１．第１確変発展当たり２
この大当たりは、第１特別図柄の始動条件の成立を契機とする大当たり抽選の抽選結果が大当たりの場合に選ばれ得るものの１つである。この大当たりに当選した場合の特別遊技の第１〜第３ラウンドの各ラウンド遊技では、第２大入賞口１７の入賞個数が規定個数（例えば９個）に達するか６秒が経過するまでの第２大入賞口１７の開放→２秒間の第２大入賞口１７の閉鎖→第２大入賞口１７の入賞個数が規定個数に達するか６秒が経過するまでの第２大入賞口１７の開放→２秒間の第２大入賞口１７の閉鎖→第２大入賞口１７の入賞個数が規定個数に達するか６秒が経過するまでの第２大入賞口１７の開放→２秒間の第２大入賞口１７の閉鎖、という開閉態様で第２大入賞口１７を開閉する。また、第４〜第１５ラウンドの各ラウンド遊技では、第２大入賞口１７の入賞個数が規定個数に達するか０．０５２秒が経過するまでの第２大入賞口１７の開放→２秒間の第２大入賞口１７の閉鎖、という開閉態様で第２大入賞口１７を開閉する。この大当たりに当選した場合、特別遊技の終了後の遊技状態が、高確率遊技状態且つ時短遊技状態になる。
【００４７】
ｄ１．第１確変短当たり
この大当たりは、第１特別図柄の始動条件の成立を契機とする大当たり抽選の抽選結果が大当たりの場合に選ばれ得るものの１つである。この大当たりに当選した場合の特別遊技の第１〜第１５ラウンドの各ラウンド遊技では、第２大入賞口１７の入賞個数が規定個数（例えば９個）に達するか０．０５２秒が経過するまでの第２大入賞口１７の開放→２秒間の第２大入賞口１７の閉鎖、という開閉態様で第２大入賞口１７を開閉する。この大当たりに当選した場合、特別遊技の終了後の遊技状態が、高確率遊技状態且つ時短遊技状態になる。
【００４８】
ｅ１．第１通常長当たり
この大当たりは、第１特別図柄の始動条件の成立を契機とする大当たり抽選の抽選結果が大当たりの場合に選ばれ得るものの１つである。この大当たりに当選した場合の特別遊技における第１大入賞口１６の開閉の態様は第１確変長当たりのそれと同じである。この大当たりに当選した場合、特別遊技の終了後の遊技状態が、低確率遊技状態且つ時短遊技状態になる。
【００４９】
ｆ１．第２確変長当たり
この大当たりは、第２特別図柄の始動条件の成立を契機とする大当たり抽選の抽選結果が大当たりの場合に選ばれ得るものの１つである。この大当たりに当選した場合の特別遊技における第１大入賞口１６の開閉の態様は第１確変長当たりのそれと同じである。この大当たりに当選した場合、特別遊技の終了後の遊技状態が、高確率遊技状態且つ時短遊技状態になる。
【００５０】
ｇ１．第２確変発展当たり１
この大当たりは、第２特別図柄の始動条件の成立を契機とする大当たり抽選の抽選結果が大当たりの場合に選ばれ得るものの１つである。この大当たりに当選した場合の特別遊技における第２大入賞口１７の開閉の態様は第１確変発展当たり１のそれと同じである。この大当たりに当選した場合、特別遊技の終了後の遊技状態が、高確率遊技状態且つ時短遊技状態になる。
【００５１】
ｈ１．第２確変発展当たり２
この大当たりは、第２特別図柄の始動条件の成立を契機とする大当たり抽選の抽選結果が大当たりの場合に選ばれ得るものの１つである。この大当たりに当選した場合の特別遊技における第２大入賞口１７の開閉の態様は第１確変発展当たり２のそれと同じである。この大当たりに当選した場合、特別遊技の終了後の遊技状態が、高確率遊技状態且つ時短遊技状態になる。
【００５２】
ｉ１．第２通常長当たり
この大当たりは、第２特別図柄の始動条件の成立を契機とする大当たり抽選の抽選結果が大当たりの場合に選ばれ得るものの１つである。この大当たりに当選した場合の特別遊技における第２大入賞口１７の開閉の態様は第１通常長当たりのそれと同じである。この大当たりに当選した場合、特別遊技の終了後の遊技状態が、低確率遊技状態且つ時短遊技状態になる。
【００５３】
以下の説明では、第１確変長当たり、第２確変長当たり、第１通常長当たり、及び第２通常長当たりを纏めて適宜「長当たり」と呼ぶ。また、第１確変発展当たり１、及び第２確変発展当たり１を纏めて適宜「確変発展当たり１」と呼び、第１確変発展当たり２、及び第２確変発展当たり２を纏めて適宜「確変発展当たり２」と呼ぶ。また、第１確変発展当たり１、第１確変発展当たり２、第２確変発展当たり１、及び第２確変発展当たり２を纏めて適宜「発展当たり」と呼ぶ。また、第１確変短当たりを適宜「短当たり」と呼ぶ。
【００５４】
また、この遊技機１では、普通図柄ゲート１３の遊技球の通過による普通図柄の始動条件の成立を契機として普通図柄の当たりの当否を決める普通図柄抽選が実行され、この普通図柄抽選において当たりに当選した場合は、普通電動役物である可動片１５ｂが所定期間に亘って開放状態になる。可動片１５ｂが開放状態の間は、遊技球が第２始動口１５を通過し易くなるため、第２特別図柄の始動条件が成立し易くなる。
【００５５】
遊技領域６の底辺の中央には、アウト口１１が設けられている。一般入賞口１２、第１始動口１４、第２始動口１５、第１大入賞口１６、及び第２大入賞口１７のいずれにも入球することなく遊技領域６の底辺に達した遊技球は、このアウト口１１を介して排出される。
【００５６】
遊技領域６の中央部における演出用駆動装置３３と第１始動口１４との間には、画像表示装置３１が嵌め込まれている。画像表示装置３１は、画像制御基板１５０による制御の下、画像の表示による遊技の演出を行う。
【００５７】
図４に示すように、画像表示装置３１の表示領域には、左図柄３６Ｌ、中図柄３６Ｃ、及び右図柄３６Ｒが表示される。また、画像表示装置３１の表示領域には、第１特別図柄及び第２特別図柄の各々の保留数に応じた個数の保留マーク、大当たりの期待感を遊技者に与える各種演出画像などが表示される。画像表示装置３１の表示領域の左図柄３６Ｌ、中図柄３６Ｃ、及び右図柄３６Ｒは、第１特別図柄表示装置２０及び第２特別図柄表示装置２１と同期した変動により、第１特別図柄表示装置２０及び第２特別図柄表示装置２１の特別図柄が示すものと同じ大当たり抽選結果を報知するものである。左図柄３６Ｌ、中図柄３６Ｃ、及び右図柄３６Ｒは、第１始動口１４または第２始動口１５に遊技球が入球したときには、第１特別図柄表示装置２０における第１特別図柄の変動表示または第２特別図柄表示装置２１における第２特別図柄の変動表示に合わせて変動表示する。そして、左図柄３６Ｌ、中図柄３６Ｃ、及び右図柄３６Ｒは、所定の変動時間の経過後における特別図柄の停止表示に合わせて、停止表示された特別図柄と対応する組合せで停止する。つまり、変動を経て停止する特別図柄によって報知される大当たりの種類と、変動を経て停止する左図柄３６Ｌ、中図柄３６Ｃ、及び右図柄３６Ｒの組み合わせによって報知される大当たりの種類は常に一致する。
【００５８】
より詳細に説明すると、画像表示装置３１の表示領域では、図５に示すように、この３つの図柄３６Ｌ、３６Ｃ、及び３６Ｒは、第１特別図柄表示装置２０及び第２特別図柄表示装置２１の変動の開始に合わせて、「七」の図柄画像→「六」の図柄画像→「五」の図柄画像→「四」の図柄画像→「三」の図柄画像→「二」の図柄画像→「一」の図柄画像→「八」の図柄画像→「七」の図柄画像、という一巡表示を開始する。そして、３つの図柄３６Ｌ、３６Ｃ、及び３６Ｒは、第１特別図柄表示装置２０及び第２特別図柄表示装置２１の変動の停止に合わせて、その停止図柄が示す大当たりの種類と対応付けられた複数種類の図柄画像の組み合わせの中の１つで停止する。
【００５９】
また、画像表示装置３１の表示領域における左図柄３６Ｌ、中図柄３６Ｃ、及び右図柄３６Ｒの変動の開始から停止までの期間では、左図柄３６Ｌ、中図柄３６Ｃ、右図柄３６Ｒの表示状態が所定のリーチ状態になることがある。リーチ状態とは、左図柄３６Ｌ、中図柄３６Ｃ、右図柄３６Ｒの一部が大当たりの組合せで停止し残り１つが変動している状態をいう。
【００６０】
図２に示すように、遊技機１の裏面には、主制御基板１１０、演出制御基板１２０、払出制御基板１３０、電源基板１７０、遊技情報出力端子板３０、電源プラグ１７１、電源スイッチ（不図示）などが設けられている。
【００６１】
主制御基板１１０は、遊技機１の基本動作を制御するものである。主制御基板１１０は、ワンチップマイコン１１０ｍ、入力ポート（不図示）、及び出力ポート（不図示）を備えている。主制御基板１１０のワンチップマイコン１１０ｍは、メインＣＰＵ１１０ａ、メインＲＯＭ１１０ｂ、及びメインＲＡＭ１１０ｃから構成される。
【００６２】
主制御基板１１０の入力ポートには、払出制御基板１３０、一般入賞口検出スイッチ１２ａ、ゲート検出スイッチ１３ａ、第１始動口検出スイッチ１４ａ、第２始動口検出スイッチ１５ａ、第１大入賞口検出スイッチ１６ａ、第２大入賞口検出スイッチ１７ａ、扉開閉スイッチ１８ａ、磁気検出センサ１８ｂ、及び電波検出センサ１８ｃが接続されている。ここで、磁気検出センサ１８ｂは、各入賞口１２、１４、１５、１６、１７及び普通図柄ゲート１３の付近に設けられており、各入賞口１２、１４、１５、１６、１７及び普通図柄ゲート１３の付近における不正磁気の発生を検出するものである。また、電波検出センサ１８ｃは、不正電波を検出するものである。
【００６３】
主制御基板１１０の出力ポートには、払出制御基板１３０、始動口開閉ソレノイド１５ｃ、第１大入賞口開閉ソレノイド１６ｃ、第２大入賞口開閉ソレノイド１７ｃ、第１特別図柄表示装置２０、第２特別図柄表示装置２１、普通図柄表示装置２２、第１特別図柄保留表示器２３、第２特別図柄保留表示器２４、普通図柄保留表示器２５、及び遊技情報出力端子板３０が接続されている。遊技情報出力端子板３０は、主制御基板１１０において生成された外部情報信号を遊技店のホールコンピュータ等に出力するためのものである。遊技情報出力端子板３０には、遊技店のホールコンピュータ等と接続するためのコネクタが設けられている。
【００６４】
主制御基板１１０のメインＣＰＵ１１０ａは、各検出スイッチやタイマからの入力信号に基づいて、メインＲＯＭ１１０ｂに格納されたプログラムを読み出して演算処理を行うとともに、各装置や表示器を直接制御したり、演算処理の結果に応じて他の基板にコマンドを送信したりする。メインＣＰＵ１１０ａは、大当たり乱数値（０〜５９９の乱数範囲の乱数値）、特別図柄乱数値（０〜９９の乱数範囲の乱数値）、リーチ判定用乱数値（０〜９９の乱数範囲の乱数値）、特図変動用乱数値（０〜９９の乱数範囲の乱数値）、普通図柄判定用乱数値（０〜６５５３５の乱数範囲の乱数値）などを含む各種乱数値を各々の乱数範囲内で更新しつつ、所定時間（例えば４ミリ秒）毎にタイマ割り込み処理を繰り返す。
【００６５】
主制御基板１１０のメインＲＯＭ１１０ｂには、遊技制御用プログラムや各種の遊技の決定に必要なデータが記憶されている。メインＲＯＭ１１０ｂには、特別図柄表示装置２０、２１用の大当たり判定テーブル（図６（ａ）参照）、普通図柄表示装置２２用の当たり判定テーブル（図６（ｂ）参照）、図柄決定テーブル（図７参照）、特別電動役物作動態様決定テーブル（図８参照）、大入賞口開放態様テーブル（図９参照）、変動パターン決定テーブル（図１０参照）、事前判定テーブル（図１１参照）などの各種テーブルが記憶されている。これらのテーブルのデータ構造の詳細については、後に説明する。
【００６６】
主制御基板１１０のメインＲＡＭ１１０ｃは、メインＣＰＵ１１０ａの演算処理時におけるデータのワークエリアとして機能するものである。メインＲＡＭ１１０ｃには、特図特電処理データ記憶領域、普図普電処理データ記憶領域、普通図柄保留数（Ｇ）記憶領域、普通図柄保留記憶領域、普通図柄データ記憶領域、第１特別図柄保留数（Ｕ１）記憶領域、第２特別図柄保留数（Ｕ２）記憶領域、第１特別図柄乱数値記憶領域、第２特別図柄乱数値記憶領域、動作回数（Ｒ）記憶領域、開放回数（Ｋ）記憶領域、大入賞口入球数（Ｃ）記憶領域、高確率遊技フラグ記憶領域、時短遊技フラグ記憶領域、高確率遊技回数（Ｘ）カウンタ、時短回数（Ｊ）カウンタ、遊技状態バッファ、停止図柄データ記憶領域、演出用伝送データ格納領域、特別図柄時間カウンタ、特別遊技タイマカウンタ、普通図柄時間カウンタ、補助遊技タイマカウンタなどの各種記憶領域が設けられている。これらの各記憶領域に記憶される情報の詳細については、後に説明する。
【００６７】
電源基板１７０は、遊技機１に電源電圧を供給するとともに電源電圧が所定値以下になったか否かを示す断電検知信号を主制御基板１１０に供給する。電源基板１７０は、コンデンサからなるバックアップ電源を有している。電源基板１７０は、電源電圧が所定値を上回っている間は断電検知信号をハイレベルにし、電源電圧が所定値以下になると断電検知信号をローレベルにする。主制御基板１１０のメインＣＰＵ１１０ａは、電断検知信号がハイレベルになると動作可能状態になり、電断検知信号がローレベルになると動作停止状態になる。
【００６８】
演出制御基板１２０は、遊技の進行中や待機中における各種演出を制御するものである。演出制御基板１２０は、主制御基板１１０に対して、当該主制御基板１１０から演出制御基板１２０へ一方向に通信可能に接続されている。演出制御基板１２０は、サブＣＰＵ１２０ａ、サブＲＯＭ１２０ｂ、サブＲＡＭ１２０ｃを備えている。
【００６９】
サブＣＰＵ１２０ａは、主制御基板１１０から送信されたコマンド、又は、演出ボタン検出スイッチ３５ａ、タイマからの入力信号に基づいて、サブＲＯＭ１２０ｂに格納されたプログラムを読み出して演算処理を行うとともに、当該処理に基づいて、対応するコマンドをランプ制御基板１４０や画像制御基板１５０に送信する。サブＣＰＵ１２０ａは、演出用乱数値（０〜９９の乱数範囲の乱数値）、及び演出図柄決定用乱数値などを含む各種乱数値を各々の乱数範囲内で更新しつつ、所定時間（例えば２ミリ秒）毎にタイマ割り込み処理を繰り返す。
【００７０】
演出制御基板１２０のサブＲＯＭ１２０ｂには、演出制御用プログラムや各種の遊技の決定に必要なデータや、図柄変動演出パターン決定テーブル（図１２参照）、エラー報知態様決定テーブル（図１３参照）などの各種テーブルが記憶されている。演出制御基板１２０のサブＲＡＭ１２０ｃは、サブＣＰＵ１２０ａの演算処理時におけるデータのワークエリアとして機能する。サブＲＡＭ１２０ｃには、演出第１保留（Ｕｓ１）記憶領域、演出第２保留（Ｕｓ２）記憶領域、保留データ記憶領域、演出図柄記憶領域、図柄変動演出パターン記憶領域、遊技状態記憶領域、演出パターン記憶領域などの各種記憶領域が設けられている。これらの記憶領域に記憶される情報の詳細については、後に説明する。
【００７１】
払出制御基板１３０は、遊技球の払い出し制御を行うものである。払出制御基板１３０は、主制御基板１１０に対して、双方向に通信可能に接続されている。払出制御基板１３０は、図示しない払出ＣＰＵ、払出ＲＯＭ、及び払出ＲＡＭから構成されるワンチップマイコンを備えている。払出制御基板１３０の入力側には、遊技球が払い出されたか否かを検知する払出球計数スイッチ１３２、払出装置に遊技球があるか否かを検出する球有り検出スイッチ１３３、及び受け皿４０の遊技球が満タンであるか否か（オーバーフローしているか否か）を検出する皿満タン検出スイッチ１３４が接続されている。払出制御基板１３０の出力側には、遊技球の貯留部から所定数の遊技球を払い出すための払出装置の払出モータ１３１が接続されている。払出制御基板１３０の払出ＣＰＵは、タイマからの入力信号に基づいて、払出ＲＯＭに格納されたプログラムを読み出して演算処理を行うとともに、当該処理に基づいて、対応するコマンドを主制御基板１１０に送信する。また、払出ＣＰＵは、主制御基板１１０から送信される払出個数指定コマンドに基づいて、払出ＲＯＭから所定のプログラムを読み出して演算処理を行うとともに、払出装置の払出モータ１３１を制御して所定の遊技球を払い出す。このとき、払出ＲＡＭは、払出ＣＰＵの演算処理時におけるデータのワークエリアとして機能する。
【００７２】
払出制御基板１３０の払出ＣＰＵは、払出球計数スイッチ１３２によって遊技球が払い出されたことが検出された場合、遊技球が払い出されたことを示すコマンドを主制御基板１１０に送信する。また、主制御基板１１０から受信した払出個数指定コマンドに異常がある場合、払出個数指定コマンドに異常があることを示すコマンドを主制御基板１１０に送信する。また、主制御基板１１０から受信した払出個数指定コマンドが示す払出数よりも払出球計数スイッチ１３２によって検出された払出球数が多い場合、払出超過であることを示すコマンドを主制御基板１１０に送信する。また、払出ＣＰＵは、球有り検出スイッチ１３３によって払出装置に遊技球が無いことが検出された場合、遊技球が払出装置に無いことを示すコマンドを主制御基板１１０に送信する。また、払出ＣＰＵは、遊技球が受け皿４０からオーバーフローしていることが検出された場合（詳しくは払出装置から受け皿４０まで遊技球を案内する球流路内に遊技球が溜まっている状態が検出された場合）、受け皿４０が満タンであることを示すコマンドを主制御基板１１０に送信する。
【００７３】
ランプ制御基板１４０は、演出制御基板１２０、演出用駆動装置３３、及び演出用照明装置３４と接続されている。ランプ制御基板１４０は、演出制御基板１２０から送信される各種コマンドに基づいて、演出用駆動装置３３を動作させるソレノイドやモータ等の駆動源の通電制御、演出用照明装置３４における光の点灯制御、光の照射方向を変更するためのモータの駆動制御を行う。
【００７４】
画像制御基板１５０は、画像表示装置３１における画像の表示制御、音声出力装置３２における音声の出力制御を行うものである。画像制御基板１５０は、演出制御基板１２０に対して、双方向に通信可能に接続されている。画像制御基板１５０は、図示しないＣＰＵ、ＲＯＭ、ＲＡＭ、ＶＤＰ、及び音響ＤＳＰを備えている。画像制御基板１５０のＣＰＵは、ＲＡＭをワークエリアとして利用しつつ、ＲＯＭに格納されているプログラムを実行する。ＣＰＵは、演出制御基板１２０からコマンドが送信されると、そのコマンドの内容に従った制御信号を生成してＶＤＰ及び音響ＤＳＰに出力することによって、ＶＤＰ及び音響ＤＳＰの動作を制御する。
【００７５】
画像制御基板１５０のＶＤＰは、演出画像の生成に必要な素材データを記憶する画像用ＲＯＭ、演出画像の描画処理を実行する描画エンジン、及び描画エンジンによって描画された演出画像を画像表示装置３１に出力する出力回路を有している。描画エンジンは、ＣＰＵからの制御信号に基づいて、画像用ＲＯＭに記憶されている素材データを用いて、フレームバッファに演出画像を描画する。出力回路は、このフレームバッファに描画された演出画像を所定のタイミングで画像表示装置３１に出力する。
【００７６】
画像制御基板１５０の音響ＤＳＰには、楽曲や音声、効果音等に関する各種音響データを記憶する音響用ＲＯＭと、音響ＤＳＰによるデータ処理等の作業領域として使用されるＳＤＲＡＭが接続されている。音響ＤＳＰは、ＣＰＵからの制御信号に対応する音響データを音響用ＲＯＭからＳＤＲＡＭに読み出してデータ処理を実行し、データ処理後の音響データを第１音声出力装置３２ａへ出力する。
【００７７】
次に、主制御基板１１０のメインＲＯＭ１１０ｂ及び演出制御基板１２０のサブＲＯＭ１２０ｂに格納されている主要なテーブルの詳細について説明する。
【００７８】
図６（ａ）は、大当たり抽選判定テーブルのデータ構造を概念的に示す図である。このテーブルは、主制御基板１１０のメインＲＯＭ１１０ｂに格納されている。このテーブルには、大当たり乱数値と大当たり抽選の抽選結果（「大当たり」又は「ハズレ」）の各組が、低確率遊技状態のときに参照するものと高確率遊技状態のときに参照するものとに分けて記憶されている。
【００７９】
主制御基板１１０のメインＣＰＵ１１０ａは、第１特別図柄又は第２特別図柄の始動条件が成立すると、当該始動条件の成立時における大当たり乱数値、特別図柄乱数値、特図変動用乱数値、及びリーチ判定用乱数値を取得して該当の特別図柄乱数値記憶領域（第１特別図柄乱数値記憶領域又は第２特別図柄乱数値記憶領域）に記憶する。そして、主制御基板１１０のメインＣＰＵ１１０ａは、当該始動条件の成立を契機とする大当たり抽選において、この大当たり抽選判定テーブルを参照し、大当たり抽選時の遊技状態（高確率遊技状態又は低確率遊技状態）と当該始動条件の成立時に特別図柄乱数値記憶領域に記憶した大当たり乱数値との組み合わせに基づいて、大当たり抽選の抽選結果（大当たり又はハズレ）を決定する。
【００８０】
この大当たり抽選判定テーブルにおける低確率遊技状態で「大当たり」になる大当たり乱数値の個数と高確率遊技状態で「大当たり」になる大当たり乱数値の個数を比較すると、低確率遊技状態における「大当たり」の大当たり乱数値は「７」と「８」の２個となっているのに対し、高確率遊技状態における「大当たり」の大当たり乱数値は「７」〜「２６」の２０個となっている。大当たり乱数値の乱数範囲は０〜５９８である。よって、低確率遊技状態のときの大当たりの当選確率は２／５９９（＝１／２９９．５）であり、高確率遊技状態のときの大当たりの当選確率は１０倍アップして２０／５９９（＝１／２９．９）である。
【００８１】
図６（ｂ）は、普通図柄抽選判定テーブルのデータ構造を概念的に示す図である。このテーブルは、主制御基板１１０のメインＲＯＭ１１０ｂに格納されている。このテーブルには、普通図柄判定用乱数値と普通図柄抽選の抽選結果（「当たり」又は「ハズレ」）の各組が、非時短遊技状態のときに参照するものと時短遊技状態のときに参照するものとに分けて記憶されている。
【００８２】
主制御基板１１０のメインＣＰＵ１１０ａは、普通図柄の始動条件が成立すると、当該始動条件の成立時における普通図柄判定用乱数値を取得して普通図柄判定用乱数値記憶領域に記憶する。そして、主制御基板１１０のメインＣＰＵ１１０ａは、当該始動条件の成立を契機とする普通図柄抽選において、この普通図柄抽選判定テーブルを参照し、普通図柄抽選時の遊技状態（時短遊技状態又は非時短遊技状態）と当該始動条件の成立時に普通図柄判定用乱数値記憶領域に記憶した普通図柄判定用乱数値の組み合わせに基づいて、普通図柄抽選の抽選結果（「当たり」又は「ハズレ」）を決定する。
【００８３】
この普通図柄抽選判定テーブルにおける非時短遊技状態で「当たり」になる普通図柄判定用乱数値の個数と時短遊技状態で「当たり」になる普通図柄判定用乱数値の個数を比較すると、非時短遊技状態における「当たり」の普通図柄判定用乱数値は「０」の１個のみとなっているのに対し、時短遊技状態における「当たり」の普通図柄判定用乱数値は「０」〜「６５５３４」の６５５３５個となっている。普通図柄判定用乱数値の乱数範囲は０〜６５５３５である。よって、非時短遊技状態のときの当たりの当選確率は、１／６５５３６であり、時短遊技状態のときの当たりの当選確率は６５５３５／６５５３６＝１／１．００００２である。
【００８４】
図７（ａ）は、大当たり用の図柄決定テーブルのデータ構造を概念的に示す図である。図７（ｂ）は、ハズレ用の図柄決定テーブルのデータ構造を概念的に示す図である。これらのテーブルは、主制御基板１１０のメインＲＯＭ１１０ｂに記憶されている。
【００８５】
大当たり用の図柄決定テーブルには、大当たり図柄判定用乱数値、特別図柄の種類（大当たりの種類）、停止図柄データ、及び演出図柄指定コマンドの各組が、第１特別図柄表示装置２０における第１特別図柄の始動条件が成立したときに参照するものと第２特別図柄表示装置２１における第２特別図柄の始動条件が成立したときに参照するものとに分けて記憶されている。
【００８６】
ハズレ用の図柄決定テーブルには、特別図柄の種類、停止図柄データ、演出図柄指定コマンドの各組が、第１特別図柄表示装置２０における第１特別図柄の始動条件が成立したときに参照するものと第２特別図柄表示装置２１における第２特別図柄の始動条件が成立したときに参照するものとに分けて記憶されている。
【００８７】
ここで、停止図柄データは、変動を経て停止表示される特別図柄の種類と対応する２桁の数（「００」〜「０９」）を示すものである。演出図柄指定コマンドは、変動を経て停止表示される特別図柄の種類を演出制御基板１２０に通知するためのコマンドである。演出図柄指定コマンドは、コマンド自体の種類を示す１バイトのＭＯＤＥデータ（Ｅ０Ｈ）と図柄の種類を示す１バイトのＤＡＴＡデータとからなる。
【００８８】
主制御基板１１０のメインＣＰＵ１１０ａは、第１特別図柄又は第２特別図柄の始動条件の成立を契機とする大当たり抽選の抽選結果が「大当たり」である場合、この大当たり用の図柄決定テーブルを参照し、当該始動条件の成立時に特別図柄乱数値記憶領域に記憶した特別図柄乱数値に基づいて、「０１」〜「０９」の９種類の停止図柄データの中の１つを選択し、選択した停止図柄の停止図柄データを停止図柄データ記憶領域に記憶し、その停止図柄データと対応する演出図柄指定コマンドを演出制御基板１２０に送信する。
【００８９】
また、主制御基板１１０のメインＣＰＵ１１０ａは、第１特別図柄又は第２特別図柄の始動条件の成立を契機とする大当たり抽選の抽選結果が「ハズレ」である場合、「００」の停止図柄データを選択し、選択した停止図柄データを停止図柄データ記憶領域に記憶し、その停止図柄データと対応する演出図柄停止コマンドを演出制御基板１２０に送信する。
【００９０】
図８は、特別電動役物作動態様決定テーブルのデータ構造を概念的に示す図である。図９は、大当たり用の大入賞口開放態様決定テーブル群のデータ構造を概念的に示す図である。これらのテーブルは、主制御基板１１０のメインＲＯＭ１１０ｂに記憶されている。
【００９１】
特別電動役物作動態様決定テーブルには、特別図柄の種類（大当たりの種類）、停止図柄データ、及び大入賞口の作動態様を示すデータの各組が、第１特別図柄表示装置２０における第１特別図柄の始動条件が成立したときに参照するものと第２特別図柄表示装置２１における第２特別図柄の始動条件が成立したときに参照するものとに分けて記憶されている。大入賞口の作動態様を示すデータは、特別遊技における動作の最大ラウンド数を示すデータと、図９の大入賞口開放態様決定テーブル群をなす４つのテーブル（長当たりテーブル、短当たりテーブル、発展当たり１テーブル、及び発展当たり２テーブル、図９ではテーブルを「ＴＢＬ」と表記）のうち参照先とするものを示すデータとからなる。
【００９２】
大当たりの大入賞口開放態様決定テーブル群は、長当たりに当選したときに参照する長当たりテーブル、短当たりに当選したときに参照する短当たりテーブル、発展当たり１に当選したときに参照する発展当たり１テーブル、発展当たり２に当選したときに参照する発展当たり２テーブルを含む。これらの各テーブルには、開放する大入賞口の種類、最大動作回数、規定回数（１つのラウンドにおける大入賞口への最大入賞個数）、１ラウンド開始前の開始インターバル時間、１ラウンド目の最大開放回数、１ラウンドの開閉サイクルにおける開放時間と閉鎖時間、１ラウンド終了と２ラウンド開始の間の閉鎖インターバル時間、２ラウンド目の最大開放回数…１５ラウンド終了後の閉鎖インターバル時間、及び終了インターバル時間の各組が記憶されている。
【００９３】
主制御基板１１０のメインＣＰＵ１１０ａは、第１特別図柄又は第２特別図柄の始動条件の成立を契機とする大当たり抽選の抽選結果が「大当たり」になった場合、特別電動役物作動態様決定テーブルを参照し、大当たり抽選時点の停止図柄データ記憶領域内の停止図柄データに基づいて、大入賞口開放態様決定テーブルの４つのテーブルのうち参照先とするものを決定し、当該始動条件の成立に基づいて変動表示を始めた特別図柄が停止した後に、参照先のテーブルに従った手順で特別遊技を実行する。
【００９４】
ここで、大当たり用の図柄決定テーブル及び特別電動役物作動態様決定テーブルには、先に挙げた９種類の各大当たりに当選した場合の参照先となる９組のデータのみが記憶されている。つまり、本遊技機１は、第２特別図柄の始動条件の成立を契機とする大当たり抽選の抽選結果が「大当たり」になったとしても、短当たりの特別遊技は実行されないようになっている。このようにしている理由は次の通りである。
【００９５】
本遊技機１では、通常遊技状態（「低確率遊技状態」で且つ「非時短遊技状態」の遊技状態）で遊技を開始し、上記９種類の大当たりの何れかに当選しない限り時短遊技状態に移行しないようになっている。この時短遊技状態は、普通図柄抽選の当選１回あたりの第２始動口１５の開放時間が長くなる有利な状態である。
【００９６】
よって、遊技者は、時短遊技状態になると、第２特別図柄の始動条件の成立を契機とする大当たり抽選の機会がより多く得られてより多くの賞球を得られるとの期待を抱く。そうであるにも拘わらず、第２特別図柄の始動条件の成立を契機とする大当たり抽選の抽選結果で短当たりが頻発すると、遊技者の遊技意欲を減退させてしまう恐れがある。このような事態を回避するため、本遊技機１では、第２特別図柄の始動条件の成立を契機とする大当たり抽選の抽選結果が「大当たり」になった場合、短当たりは選ばれないようになっている。
【００９７】
また、大入賞口開放態様決定テーブル群に示すように、本遊技機１では、全ての種類の大当たりの特別遊技の最大動作数が一律に１５回になっている。このため、本実施形態では、従来の遊技機１のように動作回数を識別させるための表示装置を個別に設ける必要がなくなる。
【００９８】
また、大入賞口開放態様決定テーブル群の長当たりテーブルに示すように、本遊技機１では、長当たりに当選した場合、１ラウンドあたり最大２９秒に亘って第１大入賞口１６を開放する。ただし、２９秒が経過する前に第１大入賞口１６の入賞個数が規定個数（９個）に達すると、その時点で第１大入賞口開閉扉１６ｂが閉じて当該ラウンドの動作が終了することになる。
【００９９】
また、大入賞口開放態様決定テーブル群の発展当たり１テーブル及び発展当たり２テーブルに示すように、本遊技機１では、発展当たり１又は発展当たり２に当選した場合、第２大入賞口１７の開閉を１ラウンドあたり最大３回繰り返す。ただし、長当たりに当選した場合と同様に、１つのラウンドの動作中に第２大入賞口１７の入賞個数が規定個数（９個）に達すると、その時点で第２大入賞口１７の可動片１７ｂが閉じて当該ラウンドの動作が終了することになる。すなわち、必ずしも１つの動作中の開閉回数が３回（Ｋ＝３）になるとは限らないのである。
【０１００】
また、大入賞口開放態様決定テーブル群の発展当たり１テーブル及び発展当たり２テーブルに示すように、本遊技機１では、発展当たり１に当選した場合と発展当たり２に当選した場合における２ラウンド目までの動作の開放態様は共通であるが、３ラウンド目以降の動作の開放態様は相違している。すなわち、発展当たり１に当選した場合、３ラウンド目以降の動作では、第２大入賞口１７の開放時間が極めて短くなり、入賞困難となる。これに対し、発展当たり２に当選した場合、３ラウンド目の動作でも、第２大入賞口１７の開放時間が比較的長いままとなる。本遊技機１では、２ラウンド目までは発展当たり１とそれよりも有利な発展当たり２のいずれに当選しているのかを判別し難くすることにより、遊技者により有利な特別遊技が行われているとの期待を持たせることができる。
【０１０１】
図１０は、特別図柄の変動パターン決定テーブルのデータ構造を概念的に示す図である。このテーブルは、主制御基板１１０のメインＲＯＭ１１０ｂに記憶されている。特別図柄の変動パターン決定テーブルには、特別図柄の種類（大当たりの種類）、遊技状態（時短遊技状態又は非時短遊技状態）、保留数、リーチ判定用乱数値、特図変動用乱数値、特別図柄の変動パターンの種類、及び変動パターン指定コマンドの各組が、第１特別図柄表示装置２０における第１特別図柄の始動条件が成立したときに参照するものと第２特別図柄表示装置２１における第２特別図柄の始動条件が成立したときに参照するものとに分けて記憶されている。変動パターン指定コマンドは、変動パターンの種類を演出制御基板１２０に通知するためのコマンドである。変動パターン指定コマンドは、コマンド自体の種類を示す１バイトのＭＯＤＥデータ（第１特別図柄のものである場合は「Ｅ６Ｈ」、第２特別図柄のものである場合は「Ｅ７Ｈ」）と変動パターンの種類を示す１バイトのＤＡＴＡデータとからなる。
【０１０２】
主制御基板１１０のメインＣＰＵ１１０ａは、第１特別図柄又は第２特別図柄の始動条件の成立を契機とする大当たり抽選の抽選結果が「大当たり」になった場合、又は、「ハズレ」になった場合、変動パターン決定テーブルを参照し、その大当たり抽選時の遊技状態及び保留数と当該始動条件の成立時に特別図柄乱数値記憶領域に記憶したリーチ判定用乱数値及び特図変動用乱数値との組み合わせに基づいて、当該始動条件の成立に基づく図柄変動の変動パターンとその変動時間を決定し、決定した変動パターンの変動パターン指定コマンドを演出制御基板１２０に送信し、当該始動条件の成立により変動表示を開始した特別図柄を変動時間の経過時に停止させる。
【０１０３】
この変動パターン決定テーブルにおける大当たり抽選の抽選結果が「ハズレ」で遊技状態が「時短遊技状態」の場合に選ばれる変動パターンの種類と大当たり抽選の抽選結果が「ハズレ」で遊技状態が「非時短遊技状態」の場合に選ばれる変動パターンの種類とを比較すると、前者の方が後者よりも変動時間の短いものが選ばれ易くなっている。
【０１０４】
例えば、大当たり抽選の抽選結果が「ハズレ」、遊技状態が「時短遊技状態」、保留数が２個の場合、変動時間が５０００ｍｓの変動パターン８（短縮変動）がリーチ判定用乱数値に応じた９５％の確率で選ばれる。これに対し、大当たり抽選の抽選結果が「ハズレ」、遊技状態が「非時短遊技状態」、保留数が２個の場合、変動時間が１００００ｍｓの変動パターン５（通常変動）、変動時間が２００００ｍｓの変動パターン６（リーチＡ（ハズレ））、及び変動時間が３００００ｍｓの変動パターン７（リーチＢ（ハズレ））のうちの１つが選ばれる。
【０１０５】
このようにしているのは、次の理由による。図１に示すように、本遊技機１では、第１始動口１４は、左打ちをしているときには入球し得るが右打ちをしているときには入球し得ない位置（遊技領域６の中央における画像表示装置３１の僅かに下）にある。第２始動口１５は、左打ちをしているときと右打ちをしているときの何れにおいても入球し得る位置（第１始動口１４の僅かに下）にあるものの、第２始動口１５への遊技球の入球の成否は可動片１５ｂが開放状態か閉鎖状態かに依存する。この可動片１５ｂは右領域６Ｒにおける普通図柄ゲート１３への遊技球の入球を契機とする普通図柄抽選において当たりに当選しない限り開放されないようになっており、可動片１５ｂが開放されない限り遊技球は第２始動口１５に到達し得ないようになっている。
【０１０６】
遊技機１が非時短遊技状態の間は、普通図柄抽選の当選確率が低く当選１回あたりの可動片１５ｂの開放時間も短い。よって、遊技機１が非時短遊技状態の間は、仮に遊技球が普通図柄ゲート１３を通過できたとしても第２始動口１５の始動入賞は得難い。このため、遊技者は、遊技機１が非時短遊技状態の間は、第１始動口１４の始動入賞を狙って左打ちを行う。これに対し、遊技機１が時短遊技状態の間は、普通図柄抽選の当選確率が高く当選１回あたりの可動片１５ｂの開放時間も長い。また、第２始動口１５の可動片１５ｂが開放状態となっているときは、第２始動口１５の斜め上から落下してくる遊技球は逆ハの字に開いた可動片１５ｂに導かれて略確実に第２始動口１５に入球する。このため、遊技者は、遊技機１が時短遊技状態になると、普通図柄ゲート１３の遊技球の通過と第２始動口１５の始動入賞とを狙った右打ちへと打ち方を変える。
【０１０７】
時短遊技状態で右打ちをしているときは非時短遊技状態で左打ちをしているときに比べて始動入賞の頻度が増し、大当たり抽選の権利の保留が溜まり易くなる。よって、時短遊技状態のときの特別図柄の変動時間を非時短遊技状態のときと同じ長さにしてしまうと、保留の消化が滞り、遊技者の遊技意欲を減退させてしまう恐れがある。このような事態を回避するため、時短遊技状態のときには、「ハズレ」の変動時間を短くして単位時間あたりの変動回数を増やし、遊技者がより多くの大当たり抽選の機会を得ることができるようにしている。
【０１０８】
図１１は、大当たり抽選の結果を事前に判定するための事前判定テーブルのデータ構造を概念的に示す図である。このテーブルは、主制御基板１１０のメインＲＯＭ１１０ｂに記憶されている。事前判定テーブルには、大当たり乱数値、特別図柄乱数値、遊技状態（時短遊技状態又は非時短遊技状態）、リーチ判定用乱数値、特図変動用乱数値、入賞情報、及び始動入賞指定コマンドの各組が、第１特別図柄表示装置２０における第１特別図柄の始動条件が成立したときに参照するものと第２特別図柄表示装置２１における第２特別図柄の始動条件が成立したときに参照するものとに分けて記憶されている。始動入賞指定コマンドは、特別図柄の始動条件の成立を契機とする大当たり抽選の入賞情報をその特別図柄の変動の開始前に演出制御基板１２０に通知するためのコマンドである。始動入賞指定コマンドは、コマンド自体の種類を示す１バイトのＭＯＤＥデータ（第１特別図柄のものである場合は「Ｅ８Ｈ」、第２特別図柄のものである場合は「Ｅ９Ｈ」）と入賞情報の種類を示す１バイトのＤＡＴＡデータとからなる。
【０１０９】
主制御基板１１０のメインＣＰＵ１１０ａは、第１特別図柄又は第２特別図柄の始動条件が成立した場合、事前判定テーブルを参照し、当該始動条件の成立時の遊技状態（低確率遊技状態又は高確率遊技状態）と当該始動条件の成立時に特別図柄乱数値記憶領域に記憶した大当たり乱数値、特別図柄乱数値、リーチ判定用乱数値、及び特図変動用乱数値との組み合わせに基づいて、当該始動条件の成立を契機とする大当たり抽選の入賞情報を決定し、この入賞情報と対応する始動入賞指定コマンドを演出制御基板１２０に送信する。
【０１１０】
この事前判定テーブルと上述した変動パターン決定テーブルとを比較すると、事前判定テーブルでは、第１特別図柄の変動の保留数（Ｕ１）や第２特別図柄の変動の保留数（Ｕ２）を参照しなくともテーブル内の該当のデータを探索し得るようになっている。これに対し、変動パターン決定テーブルでは、大当たり抽選の抽選結果が「ハズレ」である場合は、第１特別図柄の変動の保留数（Ｕ１）や第２特別図柄の変動の保留数（Ｕ２）を参照しない限りテーブル内の該当のデータを探索し得ないようになっている。このため、事前判定テーブルでは、大当たりの種別（第１確変長当たり、第２確変長当たり、第１通常長当たり、第２通常長当たり、第１確変発展当たり１、第１確変発展当たり２、第２確変発展当たり１、第２確変発展当たり２、及び第１確変短当たりのいずれであるか）やリーチの種類（リーチＡ、リーチＢ、リーチＣ、リーチＤのいずれであるか）の判別はできるものの、「通常変動」と「短縮変動」の判別はできないようになっている。
【０１１１】
図１２は、図柄変動演出パターン決定テーブルのデータ構造を概念的に示す図である。このテーブルは、演出制御基板１２０のサブＲＯＭ１２０ｂに記憶されている。図柄変動演出パターン決定テーブルには、演出用乱数値、図柄変動演出パターン、演出内容、及び演出パターン指定コマンドの各組が、主制御基板１１０から送信される変動パターン指定コマンドの種類毎に記憶されている。ここで、図柄変動演出パターンは、特別図柄の変動中における画像表示装置３１、第１音声出力装置３２ａ、演出用駆動装置３３、演出用照明装置３４の制御手順のパターンである。このテーブル内の演出パターン指定コマンドは、図柄変動演出パターンを画像制御基板１５０とランプ制御基板１４０に通知するためのコマンドである。演出パターン指定コマンドは、コマンド自体の種類を示す１バイトのＭＯＤＥデータ（第１特図の始動条件の成立に基づく変動の変動パターン指定コマンドを受信したときに参照するものは「Ａ１Ｈ」、第２特図の始動条件の成立に基づく変動の変動パターンを受信したときに参照するものは「Ｂ１Ｈ」）と図柄変動演出パターンの種類を示す１バイトのＤＡＴＡデータとからなる。
【０１１２】
演出制御基板１２０のサブＣＰＵ１２０ａは、主制御基板１１０から第１特別図柄又は第２特別図柄の変動の変動パターン指定コマンドを受信すると、その時点における演出用乱数値を取得する。そして、サブＣＰＵ１２０ａは、図柄変動演出パターン決定テーブルを参照し、当該変動の変動パターン指定コマンドと演出用乱数値の組み合わせに基づいて、当該変動の図柄変動演出パターンを決定し、決定した図柄変動演出パターンの演出パターン指定コマンドを画像制御基板１５０及びランプ制御基板１４０に送信する。画像制御基板１５０及びランプ制御基板１４０は、この演出パターン指定コマンドに従って画像表示装置３１、音声出力装置３２、演出用駆動装置３３、及び演出用照明装置３４による図柄変動に関わる演出を制御する。
【０１１３】
この図柄変動演出パターン決定テーブルでは、一部の変動パターン指定コマンドが２種類の図柄変動演出パターンと対応づけられている。つまり、主制御基板１１０から演出制御基板１２０に同じ種類の変動パターン指定コマンドが送られた場合でもその時点の演出用乱数値によって異なる種類の図柄変動演出パターンが選ばれ得るようになっている。これにより、本遊技機１では、主制御基板１１０の変動パターン決定テーブルのデータ量の増大を抑えつつ多種多様な図柄変動演出の実行が可能となる。
【０１１４】
図１３は、エラー報知態様決定テーブルのデータ構造を概念的に示す図である。このテーブルは、演出制御基板１２０のサブＲＯＭ１２０ｂに記憶されている。エラー報知態様決定テーブルには、皿満タンエラー、カウンターケースエラー、計数スイッチ断線エラー、球無しエラー、払出超過エラー、払出コマンドエラー、扉開放エラー、スイッチ未接続エラー、異常入賞エラー、排出エラー、磁石検出エラー、及び電波検出エラーの各々について、演出用照明装置３４（ランプ）の点灯によるランプエラー報知、画像表示装置３１内のメッセージ画像による画像エラー報知、第１音声出力装置３２ａによる音声エラー報知、及び第２音声出力装置３２ｂによる音声エラー報知を実行するか否かを示すデータが記憶されている。
【０１１５】
主制御基板１１０のメインＣＰＵ１１０ａは、扉開閉スイッチ１８ａ、磁気検出センサ１８ｂ、及び電波検出センサ１８ｃの出力信号や払出制御基板１３０の出力信号に基づいて、上記１２種類のエラーの何れかが発生したかを判定し、エラーが発生した場合には、発生したエラーの種類を示すエラーコマンドを演出制御基板１２０に送信する。また、主制御基板１１０のメインＣＰＵ１１０ａは、エラーが解消した場合に、エラー終了コマンドを演出制御基板１２０に送信する。演出制御基板１２０のサブＣＰＵ１２０ａは、エラーコマンドを受信すると、エラー報知態様決定テーブルを参照し、エラーコマンドが示すエラーの種類に基づいて、ランプエラー報知、画像エラー報知、第１音声出力手段による音声エラー通知、及び第２音声出力装置３２ｂによる音声エラー報知の何れを行うかを決定し、決定したエラー報知を実行させる。また、演出制御基板１２０のサブＣＰＵ１２０ａは、エラー終了コマンドを受信すると、エラー報知の実行を停止させる。
【０１１６】
ここで、図１３のテーブルでは、皿満タンエラーについては、第１音声出力装置３２ａによる音声エラー通知が「なし」になっており、第２音声出力装置３２ｂによる音声エラー通知が「あり」になっている。また、扉開放エラー、スイッチ未接続エラー、異常入賞エラー、排出エラー、磁石検出エラー、電波検出エラーについては、第１音声出力装置３２ａによる音声エラー通知が「あり」になっており、第２音声出力装置３２ｂによる音声エラー通知が「なし」になっている。皿満タンエラー、扉開放エラー、スイッチ未接続エラー、異常入賞エラー、排出エラー、磁石検出エラー、電波検出エラーは、音声によるエラーの発生の報知を要するエラーであり、それらのうち皿満タンエラーは、遊技者にだけ知らせればよいエラーである。本遊技機１では、皿満タンエラーが発生した場合、遊技者の方向に鋭い指向性を持った指向性スピーカである第２音声出力装置３２ｂから報知音を出力することにより、遊技者以外の者に気づかれることなく遊技者にだけエラーの発生を知らせるようになっている。エラー報知に関わる処理の詳細は、後述する。
【０１１７】
本遊技機１のサブＲＯＭ１２０ｂ内には、以上のテーブルのほかにも、デモ演出パターンに対応する演出パターン指定コマンド（ＭＯＤＥ＝０１Ｈのコマンド）を記憶したテーブル、当たり開始演出パターンに対応する演出パターン指定コマンド（ＭＯＤＥ＝０２Ｈのコマンド）を記憶したテーブル、大当たり演出パターンに対応する演出パターン指定コマンド（ＭＯＤＥ＝０３Ｈのコマンド）を記憶したテーブル、当たり終了演出パターンに対応する演出パターン指定コマンド（ＭＯＤＥ＝０４Ｈのコマンド）を記憶したテーブルなどが記憶されている。これらのテーブルの詳細な説明は割愛する。
【０１１８】
次に、本実施形態の動作を説明する。
図１４は、遊技機１の主制御基板１１０のメイン処理を示すフローチャートである。メイン処理は、遊技機１の電源基板１７０により電源が供給されて主制御基板１１０のメインＣＰＵ１１０ａにシステムリセットが発生したことを契機として開始される。
【０１１９】
図１４において、メインＣＰＵ１１０ａは、初期化処理を行う（Ｓ１０）。この初期化処理では、メインＣＰＵ１１０ａは、電源投入に応じて、メインＲＯＭ１１０ｂから起動プログラムを読み込むとともに、メインＲＡＭ１１０ｃ内の各種フラグを初期化する。
【０１２０】
次に、メインＣＰＵ１１０ａは、遊技用乱数値更新処理を行う（Ｓ２０）。遊技用乱数値更新処理では、メインＣＰＵ１１０ａは、リーチ判定用乱数値及び特図変動用乱数値を更新する。次に、メインＣＰＵ１１０ａは、初期乱数値更新処理を行う（Ｓ３０）。初期乱数値更新処理では、メインＣＰＵ１１０ａは、大当たり初期乱数値、普通図柄判定用初期乱数値、及び特別図柄初期乱数値を更新する。
【０１２１】
これ以降、メインＣＰＵ１１０ａは、タイマ割り込み処理（図２１）が発生するまでの間、ステップＳ２０及びステップＳ３０の処理を繰り返す。
【０１２２】
図１５は、主制御基板１１０のタイマ割込処理を示すフローチャートである。主制御基板１１０内には所定時間（例えば、４ミリ秒）毎にリセット用クロックパルスを発生するリセット用クロックパルス発生器がある。主制御基板１１０のメインＣＰＵ１１０ａは、このリセット用クロックパルス発生回路がリセット用クロックパルス信号を発生する度にタイマ割込み処理を実行する。
【０１２３】
図１５において、メインＣＰＵ１１０ａは、リセット用クロックパルス信号が発生すると、その時点におけるメインＣＰＵ１１０ａのレジスタ内の情報をスタック領域に退避させる（Ｓ１００）。次に、メインＣＰＵ１１０ａは、時間制御処理を行う（Ｓ１１０）。時間制御処理は、メインＲＡＭ１１０ｃ内における各種時間の計時に用いるカウンタを更新する処理である。時間制御処理では、メインＣＰＵ１１０ａは、メインＲＡＭ１１０ｃ内における特別図柄時間カウンタ、特別遊技タイマカウンタ、普通図柄時間カウンタ、補助遊技タイマカウンタを１ずつ減算する。
【０１２４】
次に、メインＣＰＵ１１０ａは、乱数更新処理を行う（Ｓ１２０）。乱数更新処理では、メインＣＰＵ１１０ａは、大当たり乱数値、普通図柄判定用乱数値、及び特別図柄乱数値を更新する。より具体的に説明すると、メインＣＰＵ１１０ａは、それぞれの乱数カウンタを＋１加算して更新する。なお、加算した乱数カウンタが乱数範囲の最大値を超えた場合（乱数カウンタが１周した場合）には、乱数カウンタを０に戻し、その時の初期乱数値からそれぞれの乱数値を新たに更新する。
【０１２５】
ステップＳ１２０の実行後、メインＣＰＵ１１０ａは、初期乱数値更新処理を行う（Ｓ１３０）。この初期乱数値更新処理では、メインＣＰＵ１１０ａは、ステップＳ３０と同様に、大当たり初期乱数値、普通図柄判定用初期乱数値、及び特別図柄初期乱数値を更新する。
【０１２６】
次に、メインＣＰＵ１１０ａは、入力制御処理を行う（Ｓ２００）。入力制御処理では、メインＣＰＵ１１０ａは、一般入賞口検出スイッチ１２ａ、第１大入賞口検出スイッチ１６ａ、第２大入賞口検出スイッチ１７ａ、第１始動口検出スイッチ１４ａ、第２始動口検出スイッチ１５ａ、ゲート検出スイッチ１３ａの各種スイッチに入力があったか否かを判定し、入力があった場合には所定のデータをセットする。入力制御処理の手順の詳細は後述する。
【０１２７】
ステップＳ２００の実行後、メインＣＰＵ１１０ａは、特図特電制御処理を行う（Ｓ３００）。特図特電制御処理では、メインＣＰＵ１１０ａは、メインＲＡＭ１１０ｃに設けられた特図特電処理データの値を遊技機１における遊技の進行状況に応じて更新しつつ、特別図柄記憶判定処理（特図特電処理データ＝０のときの処理）、特別図柄変動処理（特図特電処理データ＝１のときの処理）、特別図柄停止処理（特図特電処理データ＝２のときの処理）、大当たり遊技処理（特図特電処理データ＝３のときの処理）、及び大当たり遊技終了処理（特図特電処理データ＝４のときの処理）の５つの処理のうちの１つを選んで実行する。特図特電制御処理の手順の詳細は、後述する。
【０１２８】
ステップＳ３００の実行後、メインＣＰＵ１１０ａは、普図普電制御処理を行う（Ｓ４００）。普図普電制御処理では、メインＣＰＵ１１０ａは、メインＲＡＭ１１０ｃに設けられた普図普電処理データの値を遊技機１における遊技の進行状況に応じて更新しつつ、普通図柄記憶判定処理（普図普電処理データ＝０のときの処理）、普通図柄変動処理（普図普電処理データ＝１のときの処理）、普通図柄停止処理（普図普電処理データ＝２のときの処理）、及び補助遊技処理（普図普電処理データ＝３のときの処理）の４つの処理のうちの１つを選んで実行する。普図普電制御処理の手順の詳細は、後述する。
【０１２９】
ステップＳ４００の実行後、メインＣＰＵ１１０ａは、払出制御処理を行う（Ｓ５００）。払出制御処理では、メインＣＰＵ１１０ａは、メインＲＡＭ１１０ｃ内における一般入賞口賞球カウンタ、第１始動口賞球カウンタ、及び第２始動口賞球カウンタを参照し、各カウンタが示す個数の遊技球の払出しを指示する払出個数指定コマンドを生成し、このコマンドを払出制御基板１３０に送信する。払出制御基板１３０は、払出個数指定コマンドを受け取ると、払出装置の払出モータ１３１を制御して遊技球を払い出す。
【０１３０】
ステップＳ５００の実行後、メインＣＰＵ１１０ａは、エラー判定処理を行う（Ｓ６００）。エラー判定処理では、メインＣＰＵ１１０ａは、皿満タンエラー、カウンターケースエラー、計数スイッチ断線エラー、球無しエラー、払出超過エラー、払出コマンドエラー、扉開放エラー、スイッチ未接続エラー、異常入賞エラー、排出エラー、磁石検出エラー、電波検出エラーの発生の有無を判定し、いずれかのエラーが発生したと判定した場合に、発生したエラーの種類を示すエラーコマンドをメインＲＡＭ１１０ｃの演出用伝送データ格納領域にセットする。また、メインＣＰＵ１１０ａは、発生したエラーの解消の有無を判定し、エラーが解消したと判定した場合に、解消したエラーの種類を示すエラー終了コマンドを演出用伝送データ格納領域にセットする。このエラー判定処理において、演出用伝送データ格納領域にセットされたエラーコマンドまたはエラー終了コマンドは、後述する出力制御処理（Ｓ８００）において演出制御基板１２０に送信される。
【０１３１】
このエラー判定処理における各種エラーの判定の詳細を説明すると、メインＣＰＵ１１０ａは、受け皿４０が満タンであることを示すコマンドを払出制御基板１３０から受信した場合、皿満タンエラーが発生したとみなす。また、受け皿４０から払出機構部の間の球詰まりが検出された場合、カウンターケースエラーが発生したとみなす。ここでは、球無しエラーが出ていない状態で且つ計数スイッチからのコマンドが入力されない場合に球詰まりと判断している。また、払出制御基板１３０及び払出装置中継端子板間の配線、または、払出装置中継端子板及び払出機構部間の配線が切断されていることが検出された場合、計数スイッチ断線エラーが発生したとみなす。
【０１３２】
また、メインＣＰＵ１１０ａは、払出装置に遊技球が無いことを示すコマンドを払出制御基板１３０から受信した場合、球無しエラーが発生したとみなす。また、払出超過であることを示すコマンドを払出制御基板１３０から受信した場合、払出超過エラーが発生したとみなす。ここでは、払出装置が要求数以上の払出を検出することで払出超過エラーが発生したと判断している。また、払出個数指定コマンドに異常があることを示すコマンドを払出制御基板１３０から受信した場合、払出コマンドエラーが発生したとみなす。
【０１３３】
また、メインＣＰＵ１１０ａは、扉開閉スイッチ１８ａによってガラス枠５０の開放が検出された場合、扉開放エラーが発生したとみなす。また、一般入賞口検出スイッチ１２ａ、ゲート検出スイッチ１３ａ、第１始動口検出スイッチ１４ａ、第２動口検出スイッチ１５ａ、第１大入賞口検出スイッチ１６ａ、及び第２大入賞口検出スイッチ１７ａの何れかにおける断線及び接続不良が検出された場合、スイッチ未接続エラーが発生したとみなす。
【０１３４】
また、メインＣＰＵ１１０ａは、第２始動口１５の可動片１５ｂが閉鎖状態になった時点から１．２００秒が経過した以降に第２始動口検出スイッチ１５ａによって第２始動口１５の始動入賞が検出された場合、第２大入賞口１７の可動片１７ｂの未動作時に第２大入賞口検出スイッチ１７ａによって第２大入賞口１７への入賞が検出された場合、または、第１大入賞口１６の第１大入賞口開閉扉１６ｂの未動作時に第１大入賞口検出スイッチ１６ａによって第１大入賞口１６の始動入賞が検出された場合、異常入賞エラーが発生したとみなす。
【０１３５】
また、メインＣＰＵ１１０ａは、各入賞口１２、１４、１５、１６、１７のスイッチ１２ａ、１４ａ、１５ａ、１６ａ、１７ａを通過した遊技球の数と枠カウントスイッチ（不図示）を通過した球技球の数との誤差が所定数を超えた場合、排出エラーが発生したとみなす。
【０１３６】
また、メインＣＰＵ１１０ａは、磁気検出センサ１８ｂによって不正磁気が検出された場合、磁石検出エラーが発生したとみなす。また、電波検出センサ１８ｃによって不正電波が検出された場合、電波検出エラーが発生したとみなす。
【０１３７】
ステップＳ６００の実行後、メインＣＰＵ１１０ａは、データ生成処理を行う（Ｓ７００）。データ生成処理では、メインＣＰＵ１１０ａは、外部情報データ、始動口開閉ソレノイドデータ、第１大入賞口開閉ソレノイドデータ、第２大入賞口開閉ソレノイドデータ、特別図柄表示装置データ、普通図柄表示装置データ、記憶数指定コマンドを生成する。
【０１３８】
ステップＳ７００の実行後、メインＣＰＵ１１０ａは、出力制御処理を行う（Ｓ８００）。出力制御処理では、メインＣＰＵ１１０ａは、上記Ｓ７００で作成した外部情報データ、始動口開閉ソレノイドデータ、第１大入賞口開閉ソレノイドデータ、第２大入賞口開閉ソレノイドデータの信号を出力させるポート出力処理を行う。また、第１特別図柄表示装置２０、第２特別図柄表示装置２１、及び普通図柄表示装置２２の各ＬＥＤを点灯させるために、上記Ｓ７００で作成した特別図柄表示装置データと普通図柄表示装置データとを出力する表示装置出力処理を行う。さらに、メインＲＡＭ１１０ｃの演出用伝送データ格納領域にセットされているコマンドを演出制御基板１２０に送信するコマンド送信処理も行う。
【０１３９】
ステップＳ８００の実行後、メインＣＰＵ１１０ａは、ステップＳ１００でスタック領域に退避した情報をメインＣＰＵ１１０ａのレジスタに復帰させる（Ｓ９００）。
【０１４０】
図１６は、図１５の入力制御処理（Ｓ２００）の詳細を示すフローチャートである。図１６において、メインＣＰＵ１１０ａは、一般入賞口検出スイッチ入力処理を行う（Ｓ２１０）。一般入賞口検出スイッチ入力処理では、メインＣＰＵ１１０ａは、一般入賞口検出スイッチ１２ａからの検出信号の入力があったか否かを判定する。検出信号の入力がない場合はそのまま次のステップＳ２２０に進む。検出信号の入力があった場合は、メインＲＡＭ１１０ｃ内の一般入賞口賞球カウンタに所定個数（例えば１０個）を加算して更新する。
【０１４１】
ステップＳ２１０の実行後、メインＣＰＵ１１０ａは、大入賞口検出スイッチ入力処理を行う（Ｓ２２０）。大入賞口検出スイッチ入力処理では、メインＣＰＵ１１０ａは、第１大入賞口検出スイッチ１６ａ又は第２大入賞口検出スイッチ１７ａからの検出信号の入力があったか否かを判定する。メインＣＰＵ１１０ａは、第１大入賞口検出スイッチ１６ａ及び第２大入賞口検出スイッチ１７ａのいずれからも検出信号の入力がなかった場合はそのまま次のステップＳ２３０に進む。第１大入賞口検出スイッチ１６ａ又は第２大入賞口検出スイッチ１７ａからの検出信号の入力があった場合、メインＲＡＭ１１０ｃ内の大入賞口用賞球カウンタに所定個数（例えば１０個）を加算して更新し、メインＲＡＭ１１０ｃ内の大入賞口入球数（Ｃ）記憶領域に１を加算して更新する。
【０１４２】
ステップＳ２２０の実行後、メインＣＰＵ１１０ａは、第１始動口検出スイッチ入力処理を行う（Ｓ２３０）。第１始動口検出スイッチ入力処理では、メインＣＰＵ１１０ａは、第１始動口検出スイッチ１４ａからの検出信号の入力があったか否かを判定する。メインＣＰＵ１１０ａは、第１始動口検出スイッチ１４ａからの検出信号の入力がなかった場合はそのまま次のステップＳ２４０に進む。第１始動口検出スイッチ１４ａからの検出信号の入力があった場合は、賞球カウンタの更新、第１特別図柄保留数（Ｕ１）記憶領域内の第１特別図柄保留数（Ｕ１）が４未満であるか否かの判定、第１特別図柄保留数（Ｕ１）記憶領域内の第１特別図柄保留数（Ｕ１）が４未満である場合における第１特別図柄保留数（Ｕ１）の更新、第１特別図柄乱数値記憶領域内の第１〜第４記憶部の中の１つ（データ未格納の記憶部であって番号の最も小さい記憶部）への乱数値の格納、大当たり抽選の事前判定とその判定結果に応じた始動入賞指定コマンドのセット、第１特別図柄保留数（Ｕ１）記憶領域内の保留数（Ｕ１）に応じた特別図柄記憶指定コマンドのセット、などの一連の処理を行う。第１始動口検出スイッチ入力処理の手順の詳細は、後述する。
【０１４３】
ステップＳ２４０の実行後、メインＣＰＵ１１０ａは、第２始動口検出スイッチ入力処理を行う（Ｓ２４０）。第２始動口検出スイッチ入力処理では、メインＣＰＵ１１０ａは、第２始動口検出スイッチ１５ａからの検出信号の入力があったか否かを判定する。メインＣＰＵ１１０ａは、第２始動口検出スイッチ１５ａからの検出信号の入力がなかった場合はそのまま次のステップＳ２５０に進む。第２始動口検出スイッチ１５ａからの検出信号の入力があった場合は、賞球カウンタの更新、第２特別図柄保留数（Ｕ２）記憶領域内の第２特別図柄保留数（Ｕ２）が４未満であるか否かの判定、第２特別図柄保留数（Ｕ２）記憶領域内の第２特別図柄保留数（Ｕ２）が４未満である場合における第２特別図柄保留数（Ｕ２）の更新、第２特別図柄乱数値記憶領域内の第１〜第４記憶部の中の１つ（データ未格納の記憶部であって番号の最も小さい記憶部）への乱数値の格納、大当たり抽選の事前判定とその判定結果に応じた始動入賞指定コマンドのセット、第２特別図柄保留数（Ｕ２）記憶領域内の保留数（Ｕ２）に応じた特別図柄記憶指定コマンドのセット、などの一連の処理を行う。第２始動口検出スイッチ入力処理の手順と第１始動口検出スイッチ入力処理の手順は、データの書き込み先の相違を除いて同じである。
【０１４４】
次に、メインＣＰＵ１１０ａは、ゲート検出スイッチ入力処理を行う（Ｓ２５０）。ゲート検出スイッチ入力処理では、メインＣＰＵ１１０ａは、ゲート検出スイッチ１３ａからの検出信号の入力があったか否を判定する。メインＣＰＵ１１０ａは、ゲート検出スイッチ１３ａからの検出信号の入力がなかった場合はそのまま今回の入力制御処理を終了する。ゲート検出スイッチ１３ａからの検出信号の入力があった場合、メインＣＰＵ１１０ａは、ゲート通過指定コマンドを生成し、生成したゲート通過指定コマンドをメインＲＡＭ１１０ｃの演出用伝送データ格納領域にセットする。また、この場合、メインＣＰＵ１１０ａは、普通図柄保留数（Ｇ）記憶領域に記憶されている普通図柄保留数（Ｇ）が４未満であるか否かを判定する。そして、普通図柄保留数（Ｇ）記憶領域内の普通図柄保留数（Ｇ）が４未満である場合は、普通図柄保留数（Ｇ）を＋１を加算して更新するとともに、普通図柄判定用乱数値を取得し、取得した普通図柄判定用乱数値を普通図柄保留記憶領域内の第１〜第４記憶部の中の１つ（データ未格納の記憶部であって番号の最も小さい記憶部）に記憶する。
【０１４５】
図１７は、図１６の第１始動口検出スイッチ入力処理（Ｓ２３０）の詳細を示すフローチャートである。図１７において、メインＣＰＵ１１０ａは、第１始動口検出スイッチ１４ａからの検出信号の入力があった場合（Ｓ２３０−１：Ｙｅｓ）、ステップＳ２３０−２に進む。第１始動口検出スイッチ１４ａからの検出信号の入力がなかった場合（Ｓ２３０−１：Ｎｏ）、今回の第１始動口検出スイッチ入力処理を終了する。
【０１４６】
ステップＳ２３０−２において、メインＣＰＵ１１０ａは、始動口賞球カウンタに所定個数（例えば、３個）を加算して更新する（Ｓ２３０−２）。その後、メインＣＰＵ１１０ａは、第１特別図柄保留数（Ｕ１）記憶領域内の第１特別図柄保留数（Ｕ１）が４未満であるか否かを判定する（Ｓ２３０−３）。メインＣＰＵ１１０ａは、第１特別図柄保留数（Ｕ１）記憶領域内の第１特別図柄保留数（Ｕ１）が４未満でない場合（Ｓ２３０−３：Ｎｏ）、今回の第１始動口検出スイッチ入力処理を終了する。また、第１特別図柄保留数（Ｕ１）記憶領域内の第１特別図柄保留数（Ｕ１）が４未満である場合（Ｓ２３０−３：Ｙｅｓ）、第１特別図柄保留数（Ｕ１）記憶領域内の第１特別図柄保留数（Ｕ１）を＋１を加算した値にする（Ｓ２３０−４）。
【０１４７】
ステップＳ２３０−４の実行後、メインＣＰＵ１１０ａは、大当たり乱数値を取得するとともに、第１特別図柄乱数値記憶領域の第１〜第４記憶部におけるデータ未格納で且つ番号の最も小さい記憶部をデータの格納先とし、取得した特別判定用乱数値を第１特別図柄乱数値記憶領域におけるデータの格納先の記憶部に記憶する（Ｓ２３０−５）。
【０１４８】
ステップＳ２３０−５の実行後、メインＣＰＵ１１０ａは、特別図柄乱数値を取得し、取得した特別図柄乱数値を第１特別図柄乱数値記憶領域におけるデータの格納先の記憶部に記憶する（Ｓ２３０−６）。
【０１４９】
ステップＳ２３０−６の実行後、メインＣＰＵ１１０ａは、特図変動用乱数値及びリーチ判定用乱数値を取得し、取得した特図変動用乱数値及びリーチ判定用乱数値を第１特別図柄乱数値記憶領域におけるデータの格納先の記憶部に記憶する（Ｓ２３０−７）。
【０１５０】
ステップＳ２３０−７の実行後、メインＣＰＵ１１０ａは、事前判定処理を行う（Ｓ２３０−８）。この事前判定処理では、メインＣＰＵ１１０ａは、事前判定テーブル（図１１）を参照し、本ステップＳ２３０−８の実行時点（始動条件の成立時）における高確率遊技フラグ記憶領域及び時短遊技フラグ記憶領域のフラグのセットの有無と、ステップＳ２３０−５〜Ｓ２３０−７において第１特別図柄乱数値記憶領域の記憶部に記憶した大当たり乱数値、特別図柄乱数値、リーチ判定用乱数値、及び特図変動用乱数値との組み合わせに基づいて、今回の第１特別図柄の始動条件の成立を契機とする大当たり抽選の入賞情報を決定する。
【０１５１】
ステップＳ２３０−８の実行後、メインＣＰＵ１１０ａは、ステップＳ２３０−８の事前判定処理において決定した入賞情報と対応する始動入賞指定コマンドを生成し、この始動入賞指定コマンドを演出用伝送データ格納領域にセットする（Ｓ２３０−９）。その後、メインＣＰＵ１１０ａは、第１特別図柄保留数（Ｕ１）記憶領域内の第１特別図柄保留数（Ｕ１）を参照し、この第１特別図柄保留数（Ｕ１）を示す特別図柄記憶指定コマンドを生成し、この特別図柄記憶指定コマンドを演出用伝送データ記憶領域にセットする（Ｓ２３０−１０）。
【０１５２】
演出用伝送データ格納領域にセットされた始動入賞指定コマンドや特別図柄記憶指定コマンドは、タイマ割込処理の出力制御処理（Ｓ８００）において演出制御基板１２０に送信される。演出制御基板１２０は、始動入賞指定コマンドの記述内容に基づいて、今回の第１特別図柄の始動条件の成立に基づく特別図柄の変動に先立つ演出の内容を決定し、決定した演出の内容を指定するコマンドを画像制御基板１５０やランプ制御基板１４０に送信する。
【０１５３】
ここで、第２始動口検出スイッチ入力処理（Ｓ２４０）の手順は、ステップＳ２３０−３及びＳ２３０−４における保留数の参照先が第２特別図柄保留数（Ｕ２）記憶領域となる点、ステップＳ２３０−５〜Ｓ２３０−７における乱数値の記憶先が第２特別図柄乱数値記憶領域となる点、ステップＳ２３０−８における乱数値の参照先が第２特別図柄乱数値記憶領域となる点、及びステップＳ２３０−１０における保留数の参照先が第２特別図柄保留数（Ｕ２）記憶領域となる点を除いて第１始動口検出スイッチ入力処理（Ｓ２３０）のそれと同じである。
【０１５４】
図１８は、図１５の特図特電制御処理（Ｓ３００）の詳細を示すフローチャートである。図１８において、メインＣＰＵ１１０ａは、特図特電処理データの値をロードする（Ｓ３０１）。続くステップＳ３０２において、メインＣＰＵ１１０ａは、このロードした特図特電処理データから分岐アドレスを参照し、特図特電処理データ＝０であれば特別図柄記憶判定処理（ステップＳ３１０）に処理を移し、特図特電処理データ＝１であれば特別図柄変動処理（ステップＳ３２０）に処理を移し、特図特電処理データ＝２であれば特別図柄停止処理（ステップＳ３３０）に処理を移し、特図特電処理データ＝３であれば大当たり遊技処理（ステップＳ３４０）に処理を移し、特図特電処理データ＝４であれば大当たり遊技終了処理（ステップＳ３５０）に処理を移す。
【０１５５】
図１９は、図１８の特別図柄記憶判定処理の詳細を示すフローチャートである。図１９において、メインＣＰＵ１１０ａは、特別図柄の変動表示中であるか否かを判定する（Ｓ３１０−１）。より具体的に説明すると、メインＣＰＵ１１０ａは、メインＲＡＭ１１０ｃ内の特別図柄時間カウンタを参照し、特別図柄時間カウンタが０であれば特別図柄の変動表示中であるとみなし、特別図柄時間カウンタが０でなければ特別図柄の変動表示中でないとみなす。メインＣＰＵ１１０ａは、特別図柄の変動表示中である場合（Ｓ３１０−１：Ｙｅｓ）、今回の特別図柄記憶判定処理を終了する。また、特別図柄の変動表示中でない場合（Ｓ３１０−１：Ｎｏ）、ステップＳ３１０−２に進む。
【０１５６】
ステップＳ３１０−２において、メインＣＰＵ１１０ａは、第２特別図柄保留数（Ｕ２）記憶領域内の第２特別図柄保留数（Ｕ２）を参照し、この第２特別図柄保留数（Ｕ２）が１以上であるかを判定する。メインＣＰＵ１１０ａは、第２特別図柄保留数（Ｕ２）が１以上である場合（Ｓ３１０−２：Ｙｅｓ）、第２特別図柄保留数（Ｕ２）を１を減算した値に更新する（Ｓ３１０−３）。ここで、本遊技機１は、第２特別図柄の保留を第１の特別図柄の保留よりも優先して消化する機種である。こういった機種の遊技機では、時短遊技状態の間は、第１特別図柄の始動条件が成立してもその事前判定を行わないようになっている。
【０１５７】
メインＣＰＵ１１０ａは、第２特別図柄保留数（Ｕ２）が１以上でない場合（Ｓ３１０−２：Ｎｏ）、第１特別図柄保留数（Ｕ１）記憶領域内の第１特別図柄保留数（Ｕ１）を参照し、この第１特別図柄保留数（Ｕ１）が１以上であるかを判定する（Ｓ３１０−４）。メインＣＰＵ１１０ａは、第１特別図柄保留数（Ｕ２）が１以上である場合（Ｓ３１０−４：Ｙｅｓ）、第１特別図柄保留数（Ｕ１）を１を減算した値に更新する（Ｓ３１０−５）。
【０１５８】
ステップＳ３１０−３又はＳ３１０−５の実行後、メインＣＰＵ１１０ａは、記憶領域シフト処理を行う（Ｓ３１０−６）。この記憶領域シフト処理では、メインＣＰＵ１１０ａは、第１特別図柄乱数値記憶領域及び第２特別図柄乱数値記憶領域のうちステップＳ３１０−３又はＳ３１０−５において保留数を減算した方の図柄と対応するものを処理対象として次のような処理を行う。
【０１５９】
メインＣＰＵ１１０ａは、ステップＳ３１０−３における特別図柄保留数（Ｕ２）の減算を行った場合、第２特別図柄乱数値記憶領域の第２〜第４記憶部内のデータを各々の１つ前の記憶部にシフトさせ、第２特別図柄乱数値記憶領域の第１記憶部内のデータを判定記憶領域である第０記憶部に書き込む。この第０記憶部へのデータの書き込みにより、それまで第０記憶部に記憶されていた乱数値（大当たり乱数値、特別図柄乱数値、リーチ判定用乱数値、特図変動用乱数値）は消去されることになる。
【０１６０】
また、メインＣＰＵ１１０ａは、ステップＳ３１０−５における特別図柄保留数（Ｕ１）の減算を行った場合、第１特別図柄乱数値記憶領域の第２〜第４記憶部内のデータを各々の１つ前の記憶部にシフトさせ、第１特別図柄乱数値記憶領域の第１記憶部内のデータを第０記憶部に書き込む。この第０記憶部へのデータの書き込みにより、それまで第０記憶部に記憶されていた乱数値（大当たり乱数値、特別図柄乱数値、リーチ判定用乱数値、特図変動用乱数値）は消去されることになる。
【０１６１】
ステップＳ３１０−６の実行後、メインＣＰＵ１１０ａは、第１特別図柄保留数（Ｕ１）記憶領域内の第１特別図柄保留数（Ｕ１）及び第２特別図柄保留数（Ｕ２）記憶領域内の第２特別図柄保留数（Ｕ２）を演出制御基板１２０に通知するための特別図柄記憶指定コマンドを生成し、この特別図柄記憶指定コマンドを演出用伝送データ格納領域にセットする（Ｓ３１０−７）。
【０１６２】
ステップＳ３１０−７の実行後、メインＣＰＵ１１０ａは、大当たり判定処理を行う（Ｓ３１１）。この大当たり判定処理では、メインＣＰＵ１１０ａは、今回の始動条件の成立を契機とする大当たり抽選の抽選結果（大当たり又はハズレ）を決定し、大当たりである場合には大当たりの種類を決定し、決定した大当たりの種類と対応する大当たり用の演出図柄指定コマンドを生成して演出用伝送データ格納領域にセットする。また、ハズレである場合は、ハズレ用の演出図柄指定コマンドを生成して演出用伝送データ格納領域にセットする。
【０１６３】
より詳細に説明すると、メインＣＰＵ１１０ａは、この大当たり判定処理では、図２０（大当たり判定処理の詳細を示すフローチャート）に示すように、今回の始動条件の成立を契機とする大当たり抽選の抽選結果が「大当たり」及び「ハズレ」のいずれであるかを判定する（Ｓ３１１−１）。具体的には、メインＣＰＵ１１０ａは、大当たり判定テーブル（図６（ａ））を参照し、本ステップＳ３１１−１の実行時点における高確率遊技フラグ記憶領域のフラグのセットの有無とステップＳ３１０−６で第０記憶部に記憶した大当たり乱数値との組み合わせに基づいて、抽選結果を決定する。メインＣＰＵ１１０ａは、ステップＳ３１１−１の判定結果が「大当たり」である場合（Ｓ３１１−１：Ｙｅｓ）、ステップＳ３１１−２に進む、また、ステップＳ３１１−１の判定結果が「ハズレ」である場合（Ｓ３１１−１：Ｎｏ）、ステップＳ３１１−５に進む。
【０１６４】
ステップＳ３１１−２において、メインＣＰＵ１１０ａは、大当たり図柄決定処理を行う。この大当たり図柄決定処理では、メインＣＰＵ１１０ａは、図柄決定テーブル（図１１（ａ））を参照し、ステップＳ３１０−６で第０記憶部に記憶した特別図柄乱数値に基づいて、当該変動の停止図柄の停止図柄データを決定し、決定した停止図柄データをメインＲＡＭ１１０ｃ内の停止図柄データ記憶領域に記憶する。ここで、この停止図柄データ記憶領域内の停止図柄データは、特別図柄停止処理（図２２）における大当たり図柄の判定時、大当たり遊技処理（図２３）における大入賞口の作動態様の決定時、大当たり遊技終了処理（図２４）における遊技状態の決定時に参照される。詳しくは、後述する。
【０１６５】
次に、メインＣＰＵ１１０ａは、ステップＳ３１１−２で決定した停止図柄データと対応する大当たり用の演出図柄指定コマンドを生成し、この演出図柄指定コマンドを演出用伝送データ格納領域にセットする（Ｓ３１１−３）。
【０１６６】
次に、メインＣＰＵ１１０ａは、高確率遊技フラグ記憶領域及び時短遊技フラグ記憶領域におけるフラグのセットの有無に基づいて現時点（大当たり抽選時）の遊技状態を求め、求めた遊技状態を示す遊技状態情報を遊技状態バッファに記憶する（Ｓ３１１−４）。具体的には、メインＣＰＵ１１０ａは、高確率遊技フラグと時短遊技フラグの両方がセットされていない場合、「００Ｈ」のデータを遊技状態情報として遊技状態バッファにセットする。また、高確率遊技フラグがセットされており時短遊技フラグがセットされていない場合、「０１Ｈ」のデータを遊技状態情報として遊技状態バッファにセットする。また、高確率遊技フラグがセットされておらず時短遊技フラグがセットされている場合、「０２Ｈ」のデータを遊技状態情報として遊技状態バッファにセットする。また、高確率遊技フラグと時短遊技フラグの両方がセットされている場合、「０３Ｈ」のデータを遊技状態情報として遊技状態バッファにセットする。
【０１６７】
ここで、このように、時短遊技フラグ記憶領域及び高確率遊技フラグ記憶領域とは別に、遊技状態バッファに大当たり抽選時の遊技状態をセットすることとしているのは、次の理由による。大当たり遊技中には時短遊技フラグ記憶領域にある時短遊技フラグや高確率遊技フラグ記憶領域にある高確率遊技フラグがリセットされてしまうため、大当たり終了後に大当たりの当選時の遊技状態に基づいて、新たに大当たり終了時の遊技状態を決定する場合には、時短遊技フラグ記憶領域や高確率遊技フラグ記憶領域を参照することができない。このように、時短遊技フラグ記憶領域及び高確率遊技フラグ記憶領域とは別に、大当たり抽選時の遊技状態を示す遊技情報を記憶するための遊技状態バッファを設けることにより、大当たり終了後に遊技状態バッファにある遊技情報を参照することで、大当たり抽選時の遊技状態に基づいて新たに大当たり終了後の遊技状態（時短遊技状態や時短回数など）を設定できる。
【０１６８】
ステップＳ３１１−５において、メインＣＰＵ１１０ａは、ハズレ図柄決定処理を行う。このハズレ図柄決定処理では、メインＣＰＵ１１０ａは、図柄決定テーブル（図１１（ａ））を参照してハズレの停止図柄の停止図柄データを決定し、決定した停止図柄データを停止図柄データ記憶領域に記憶する。
【０１６９】
次に、メインＣＰＵ１１０ａは、ステップＳ３１１−５で決定した停止図柄データと対応するハズレ用の演出図柄指定コマンドを生成し、この演出図柄指定コマンドを演出用伝送データ格納領域にセットする（Ｓ３１１−６）。
【０１７０】
図１９の説明に戻る。大当たり判定処理（Ｓ３１１）の実行後、メインＣＰＵ１１０ａは、変動パターン決定処理を行う（Ｓ３１２）。この変動パターン決定処理では、メインＣＰＵ１１０ａは、変動パターン決定テーブル（図１０）を参照し、ステップＳ３１１−１における大当たり抽選の抽選結果（大当たり又はハズレ）、本ステップＳ３１２の実行時点における時短遊技フラグ記憶領域のフラグのセットの有無、ステップＳ３１０−３又はステップＳ３１０−５における更新後の保留数（Ｕ２）又は（Ｕ１）、ステップＳ３１０−６で第０記憶部に記憶した大当たり乱数値、リーチ判定用乱数値、並びに特図変動用乱数値の組み合わせに基づいて、当該変動の変動パターンを決定する。
【０１７１】
メインＣＰＵ１１０ａは、ステップＳ３１２において決定した変動パターンに対応する変動パターン指定コマンドを生成し、この変動パターン指定コマンドを演出用伝送データ格納領域にセットする（Ｓ３１３）。
【０１７２】
次に、メインＣＰＵ１１０ａは、高確率遊技フラグ記憶領域及び時短遊技フラグ記憶領域におけるフラグのセットの有無に基づいて現時点の遊技状態を求め、求めた遊技状態に対応する遊技状態指定コマンドを生成し、この遊技状態指定コマンドを演出用伝送データ格納領域にセットする（Ｓ３１４）。
【０１７３】
次に、メインＣＰＵ１１０ａは、特別図柄の変動表示を開始させるための処理を行う（Ｓ３１５）。具体的に説明すると、メインＣＰＵ１１０ａは、第１特別図柄表示装置２０又は第２特別図柄表示装置２１に特別図柄の変動表示（ＬＥＤの点滅）を行わせるための変動表示データを所定の処理領域にセットする。これにより、所定の処理領域に変動表示データがセットされていると、上記ステップＳ７００でＬＥＤの点灯又は消灯のデータが適宜作成され、作成されたデータがステップＳ８００において出力されることで、第１特別図柄表示装置２０又は第２特別図柄表示装置２１の変動表示が行われる。
【０１７４】
次に、メインＣＰＵ１１０ａは、上記のようにして特別図柄の変動表示を開始したら、上記ステップＳ３１２において決定した変動パターンに基づいた変動時間を特別図柄時間カウンタにセットする（Ｓ３１６）。なお、特別図柄時間カウンタは上記Ｓ１１０において４ｍｓ毎に減算処理されていく。
【０１７５】
次に、メインＣＰＵ１１０ａは、特図特電処理データ＝１をセットし（Ｓ３１７）、今回の特別図柄記憶判定処理を終了する。この後の特図特電制御処理（図１８）では、ステップＳ３０２において特別図柄変動処理に処理が移り、特別図柄変動処理が行われる。
【０１７６】
図２１は、図１８の特別図柄変動処理の詳細を示すフローチャートである。図２１において、メインＣＰＵ１１０ａは、特別図柄の変動時間が経過したか否かを判定する（Ｓ３２０−１）。具体的には、メインＣＰＵ１１０ａは、ステップＳ３１６でセットした特別図柄時間カウンタを参照し、特別図柄時間カウンタが０であれは特別図柄の変動時間が経過したものとみなし、特別図柄時間カウンタが０でなければ特別図柄の変動時間が未だ経過していないとみなす。メインＣＰＵ１１０ａは、特別図柄の変動時間が経過したと判定した場合（Ｓ３２０−１：Ｙｅｓ）、ステップＳ３２０−２に進む。また、特別図柄の変動時間が経過していないと判定した場合（Ｓ３２０−１：Ｎｏ）、今回の特別図柄変動処理を終了し、次のサブルーチンを実行する。
【０１７７】
ステップＳ３２０−２において、メインＣＰＵ１１０ａは、特別図柄の変動表示を停止させるための処理を行う。具体的に説明すると、メインＣＰＵ１１０ａは、上記ステップＳ３１５でセットされた変動表示データをクリアして、上記ステップＳ３１１−２又はＳ３１１−５でセットされた特別図柄を第１特別図柄表示装置２０又は第２特別図柄表示装置２１に停止表示させるための停止図柄データを所定の処理領域にセットする（Ｓ３２０−２）。これにより、第１特別図柄表示装置２０又は第２特別図柄表示装置２１に特別図柄が停止表示される。
【０１７８】
次に、メインＣＰＵ１１０ａは、図柄確定コマンドを演出用伝送データ格納領域にセットする（Ｓ３２０−３）。
【０１７９】
次に、メインＣＰＵ１１０ａは、上記のようにして特別図柄の停止表示を開始したら、特別図柄時間カウンタに図柄停止時間（０．５秒＝１２５カウンタ）をセットする（Ｓ３２０−４）。なお、特別図柄時間カウンタは上記Ｓ１１０において４ｍｓ毎に１を減算して更新されていく。
【０１８０】
次に、メインＣＰＵ１１０ａは、特図特電処理データに２をセットし（Ｓ３２０−５）、今回の特別図柄変動処理を終了する。この後の特図特電制御処理（図１８）では、ステップＳ３０２において特別図柄停止処理に処理が移り、特別図柄停止処理が行われる。
【０１８１】
図２２は、図１８の特別図柄停止処理の詳細を示すフローチャートである。図２２において、メインＣＰＵ１１０ａは、特別図柄の停止時間が経過したか否かを判定する（Ｓ３３０−１）。具体的には、メインＣＰＵ１１０ａは、ステップＳ３２０−４でセットした特別図柄時間カウンタを参照し、特別図柄時間カウンタが０であれば特別図柄の停止時間が経過したとみなし、特別図柄時間カウンタが０でなければ特別図柄の停止時間が未だ経過していないとみなす。メインＣＰＵ１１０ａは、特別図柄の停止時間が経過したと判定した場合（Ｓ３３０−１：Ｙｅｓ）、ステップＳ３３０−２に進む。また、特別図柄の停止時間が経過していないと判定した場合（Ｓ３３０−１：Ｎｏ）、今回の特別図柄停止処理を終了し、次のサブルーチンを実行する。
【０１８２】
ステップＳ３３０−２において、メインＣＰＵ１１０ａは、時短遊技終了判定処理を行う。この時短遊技終了判定処理では、メインＣＰＵ１１０ａは、時短遊技フラグ記憶領域に時短遊技フラグがセットされているか否かを判定する。時短遊技フラグ記憶領域に時短遊技フラグがセットされていない場合はそのまま次のステップＳ３３０−３に進む。時短遊技フラグ記憶領域に時短遊技フラグがセットされている場合は、時短回数（Ｊ）記憶領域内の時短回数（Ｊ）を１を減算して更新し、更新後の時短回数（Ｊ）が「０」か否かを判定する。その結果、時短回数（Ｊ）が「０」である場合には、時短遊技フラグ記憶領域にセットされている時短遊技フラグをクリアしてから次のステップＳ３３０−３に進む。時短回数（Ｊ）が「０」でない場合には、時短遊技フラグ記憶領域に時短遊技フラグをセットしたまま次のステップＳ３３０−３に進む。
【０１８３】
ステップＳ３３０−３において、メインＣＰＵ１１０ａは、高確率遊技終了判定処理を行う。この高確率遊技終了判定処理では、メインＣＰＵ１１０ａは、高確率遊技フラグ記憶領域に高確率遊技フラグがセットされているか否かを判定する。高確率遊技フラグ記憶領域に高確率遊技フラグがセットされていない場合はそのまま次のステップＳ３３０−４に進む。高確率遊技フラグ記憶領域に高確率遊技フラグがセットされている場合は、高確率遊技回数（Ｘ）記憶領域内の高確率遊技回数（Ｘ）に１を減算して更新し、更新後の高確率遊技回数（Ｘ）が「０」か否かを判定する。その結果、高確率遊技回数（Ｘ）が０である場合には、高確率遊技フラグ記憶領域にセットされている高確率遊技フラグをクリアしてから次のステップＳ３３０−４に進む。高確率遊技回数（Ｘ）が０でない場合には、高確率遊技フラグ記憶領域に高確率遊技フラグをセットしたまま次のステップＳ３３０−４に進む。
【０１８４】
ステップＳ３３０−４において、メインＣＰＵ１１０ａは、高確率遊技フラグ記憶領域及び時短遊技フラグ記憶領域におけるフラグのセットの有無に基づいて現時点の遊技状態を求め、求めた遊技状態に対応する遊技状態指定コマンドを生成し、この遊技状態指定コマンドを演出用伝送データ格納領域にセットする。
【０１８５】
次に、メインＣＰＵ１１０ａは、停止図柄データ記憶領域内の停止図柄データが大当たりのものであるかハズレのものであるかを判定する（Ｓ３３０−５）。停止図柄データ記憶領域内の停止図柄データがハズレのものである場合（Ｓ３３０−５：Ｎｏ）、メインＣＰＵ１１０ａは、特図特電処理データに０をセットし（Ｓ３３０−６）、今回の特別図柄停止処理を終了する。この後の特図特電制御処理（図１８）では、ステップＳ３０２において特別図柄記憶判定処理に処理が移り、特別図柄記憶判定処理が行われる。
【０１８６】
停止図柄データ記憶領域内の停止図柄データが大当たりのものである場合（Ｓ３３０−５：Ｙｅｓ）、メインＣＰＵ１１０ａは、特図特電処理データに３をセットする（Ｓ３３０−１０）。次に、メインＣＰＵ１１０ａは、その時点における遊技状態、高確率遊技回数（Ｘ）、及び時短回数（Ｊ）をリセットする（Ｓ３３０−１１）。具体的に説明すると、メインＣＰＵ１１０ａは、高確率遊技フラグ記憶領域に高確率遊技フラグがセットされている場合は、高確率遊技フラグ記憶領域及び高確率遊技回数（Ｘ）記憶領域のデータをクリアする。また、メインＣＰＵ１１０ａは、時短遊技フラグ記憶領域に時短遊技フラグがセットされている場合は、時短遊技フラグ記憶領域及び時短回数（Ｊ）記憶領域のデータをクリアする。
【０１８７】
ステップＳ３３０−１１の実行後、メインＣＰＵ１１０ａは、大当たり開始準備設定処理を行う（Ｓ３３０−１２）。大当たり開始準備設定処理では、メインＣＰＵ１１０ａは、特別電動役物作動態様決定テーブル（図８）を参照し、停止図柄データ記憶領域内の停止図柄データに基づいて、大入賞口開放態様決定テーブル群の４種類のテーブル（長当たりテーブル、短当たりテーブル、発展当たり１テーブル、発展当たり２テーブル）のうち参照先とするものを決定する。
【０１８８】
メインＣＰＵ１１０ａは、ステップＳ３３０−１２において決定した大入賞口開放態様決定テーブルに基づいて、大当たりの種類を判定し、大当たりの種類に応じたオープニングコマンドを生成し、このオープニングコマンドを演出用伝送データ格納領域にセットする（Ｓ３３０−１３）。
【０１８９】
メインＣＰＵ１１０ａは、ステップＳ３３０−１２において決定した大入賞口開放態様決定テーブルに基づいて、大当たりの種類に応じた開始インターバル時間を求め、この開始インターバル時間を特別図柄時間カウンタにセットし（Ｓ３３０−１４）、今回の特別図柄停止処理を終了する。この後の特図特電制御処理（図１８）では、ステップＳ３０２において大当たり遊技処理に処理が移り、大当たり遊技処理が行われる。
【０１９０】
図２３は、大当たり遊技処理の詳細を示すフローチャートである。図２３において、メインＣＰＵ１１０ａは、現在オープニング中であるか否かを判定する（Ｓ３４０−１）。具体的には、メインＣＰＵ１１０ａは、動作回数（Ｒ）記憶領域内の動作回数（Ｒ）を参照し、動作回数（Ｒ）が「０」であればオープニング中であるとみなし、動作回数（Ｒ）が「０」でなければオープニング中でないとみなす。メインＣＰＵ１１０ａは、オープニング中であると判定した場合（Ｓ３４０−１：Ｙｅｓ）、ステップＳ３４０−２に進む。また、オープニング中でないと判定した場合（Ｓ３４０−１：Ｎｏ）、ステップＳ３４０−６に進む。
【０１９１】
ステップＳ３４０−２において、メインＣＰＵ１１０ａは、開始インターバル時間が経過したか否かを判定する。具体的には、メインＣＰＵ１１０ａは、特別図柄停止処理（図２２）のステップＳ３３０−１４でセットされた特別図柄時間カウンタを参照し、特別図柄時間カウンタが０であれば開始インターバル時間が経過したとみなし、特別図柄時間カウンタが０でなければ開始インターバル時間が未だ経過していないとみなす。メインＣＰＵ１１０ａは、開始インターバル時間が経過したと判定した場合（Ｓ３４０−２：Ｙｅｓ）、ステップＳ３４０−３に進む。また、開始インターバル時間が未だ経過していないと判定した場合（Ｓ３４０−２：Ｎｏ）、今回の大当たり遊技処理を終了する。
【０１９２】
ステップＳ３４０−３において、メインＣＰＵ１１０ａは、大当たり開始設定処理を行う。大当たり開始設定処理では、メインＣＰＵ１１０ａは、動作回数（Ｒ）記憶領域内の動作回数（Ｒ）を１を加算して更新する。ここで、開始インターバル時間が経過した時点では未だ動作が１回も行われておらず、動作回数（Ｒ）記憶領域内の動作回数（Ｒ）は「０」である。よって、本ステップＳ３４０−３における更新後の動作回数（Ｒ）は「１」になる。
【０１９３】
ステップＳ３４０−３の実行後、メインＣＰＵ１１０ａは、大入賞口開放処理を行う（Ｓ３４０−４）。この大入賞口開放処理では、メインＣＰＵ１１０ａは、開放回数（Ｋ）記憶領域内の開放回数（Ｋ）に１を加算して更新する。また、メインＣＰＵ１１０ａは、第１大入賞口開閉扉１６ｂ又は第２大入賞口開閉扉１７ｂを開放するために、第１大入賞口開閉ソレノイド１６ｃ又は第２大入賞口開閉ソレノイド１７ｃを通電させる通電データをセットする。また、メインＣＰＵ１１０ａは、ステップＳ３３０−１２で決定した大入賞口開放態様決定テーブル（図９参照）を参照して、現在の動作回数（Ｒ）及び開放回数（Ｋ）における第１大入賞口１６又は第２大入賞口１７の開放時間を求め、この開放時間を特別遊技タイマカウンタにセットする。
【０１９４】
ステップＳ３４０−４の実行後、メインＣＰＵ１１０ａは、大入賞口開放指定コマンド送信判定処理を行う（Ｓ３４０−５）。この大入賞口開放指定コマンド送信判定処理では、メインＣＰＵ１１０ａは、開放回数（Ｋ）記憶領域の開放回数（Ｋ）を参照し、開放回数（Ｋ）が１である場合は、動作回数（Ｒ）記憶領域内の動作回数（Ｒ）に応じた大入賞口開放（Ｒ）ラウンド指定コマンド（例えば、動作回数（Ｒ）が１であれば大入賞口開放１ラウンド指定コマンド）を生成し、この大入賞口開放（Ｒ）ラウンド指定コマンドを演出用伝送データ格納領域にセットし、今回の大当たり遊技処理を終了する。また、メインＣＰＵ１１０ａは、開放回数（Ｋ）が１でない場合は、そのまま今回の大当たり遊技処理を終了する。つまり、開放回数（Ｋ）が１であるということはラウンドの開始を意味するので、ラウンドの開始のときのみ、大入賞口開放（Ｒ）ラウンド指定コマンドを送信するようにしている。
【０１９５】
ステップＳ３４０−６において、メインＣＰＵ１１０ａは、現在エンディング中であるか否かを判定する。ここでいうエンディングとは、予め設定された動作を全て終了した後の処理をいうものである。メインＣＰＵ１１０ａは、エンディング中でないと判断した場合（Ｓ３４０−６：Ｎｏ）、ステップＳ３４０−７に進む。また、エンディング中であると判断した場合（Ｓ３４０−６：Ｙｅｓ）、ステップＳ３４０−１８に進む。
【０１９６】
ステップＳ３４０−７において、メインＣＰＵ１１０ａは、大入賞口の閉鎖中であるか否かを判定する（Ｓ３４０−７）。具体的には、メインＣＰＵ１１０ａは、メインＲＡＭ１１０ｃの所定領域に通電データ（第１大入賞口開閉ソレノイド１６ｃ又は第２大入賞口開閉ソレノイド１７ｃを通電させる通電データ）がセットされていない場合は、大入賞口の閉鎖中であるとみなし、メインＲＡＭ１１０ｃの所定領域に通電データがセットされている場合は、大入賞口の閉鎖中でないとみなす。メインＣＰＵ１１０ａは、大入賞口の閉鎖中であると判定した場合（Ｓ３４０−７：Ｙｅｓ）、ステップＳ３４０−８に進む。大入賞口の閉鎖中でないと判定した場合（Ｓ３４０−７：Ｎｏ）、ステップＳ３４０−９に進む。
【０１９７】
ステップＳ３４０−８において、メインＣＰＵ１１０ａは、閉鎖時間が経過したか否かを判定する。ここで、閉鎖時間は、後述するステップＳ３４０−１０において特別遊技タイマカウンタにセットされるものである。メインＣＰＵ１１０ａは、閉鎖時間が経過したと判定した場合（Ｓ３４０−８：Ｙｅｓ）、ステップＳ３４０−４の大入賞口開放処理に進み、大入賞口開放処理とそれに続く大入賞口開放指定コマンド送信判定処理（Ｓ３４０−５）を行い、今回の大当たり遊技処理を終了する。メインＣＰＵ１１０ａは、閉鎖時間が経過していないと判定した場合（Ｓ３４０−８：Ｎｏ）、今回の大当たり遊技処理を終了する。
【０１９８】
ステップＳ３４０−９において、メインＣＰＵ１１０ａは、大入賞口の開放終了条件が成立したか否かを判定する。具体的には、メインＣＰＵ１１０ａは、大入賞口入球カウンタ（Ｃ）の値が規定個数（９個）に達するか、開放回数（Ｋ）における１回あたりの開放時間が経過した場合、開放終了条件が成立したとみなす。また、メインＣＰＵ１１０ａは、大入賞口入球カウンタ（Ｃ）の値が規定個数（９個）に達しておらず、且つ、開放回数（Ｋ）における１回あたりの開放時間が経過していない場合、開放終了条件が成立していないとみなす。メインＣＰＵ１１０ａは、開放終了条件が成立したと判定した場合（Ｓ３４０−９：Ｙｅｓ）、ステップＳ３４０−１０に進む。また、開放終了条件が成立していないと判定した場合（Ｓ３４０−９：Ｎｏ）、今回の大当たり遊技処理を終了する。
【０１９９】
ステップＳ３４０−１０において、メインＣＰＵ１１０ａは、大入賞口閉鎖処理を行う。この大入賞口閉鎖処理では、メインＣＰＵ１１０ａは、第１大入賞口開閉扉１６ｂ又は第２大入賞口開閉扉１７ｂを閉鎖するために、第１大入賞口開閉ソレノイド１６ｃ又は第２大入賞口開閉ソレノイド１７ｃを通電させる通電データを停止する。また、メインＣＰＵ１１０ａは、ステップＳ３３０−１２で決定された大入賞口開放態様決定テーブル（図９）を参照して、現在の動作回数（Ｒ）及び開放回数（Ｋ）に基づいて、第１大入賞口１６又は第２大入賞口１７の閉鎖時間（閉鎖インターバル時間又は１回の閉鎖時間）を特別遊技タイマカウンタにセットする。これにより、大入賞口が閉鎖することになる。
【０２００】
ステップＳ３４０−１０の実行後、メインＣＰＵ１１０ａは、ステップＳ３４０−１０の大入賞口の閉鎖をもって１回の動作が終了したか否かを判定する（Ｓ３４０−１１）。具体的には、メインＣＰＵ１１０ａは、大入賞口入球カウンタ（Ｃ）の値が規定個数（９個）に達するか、開放回数（Ｋ）が最大開放回数に達した場合に、１回の動作が終了したとみなす。また、メインＣＰＵ１１０ａは、大入賞口入球カウンタ（Ｃ）の値が規定個数（９個）に達しておらず、開放回数（Ｋ）が最大開放回数に達していない場合に、１回の動作が終了していないとみなす。メインＣＰＵ１１０ａは、１回の動作が終了したと判定した場合（Ｓ３４０−１１：Ｙｅｓ）、ステップＳ３４０−１２に進む。また、１回の動作が終了していないと判定した場合（Ｓ３４０−１１：Ｎｏ）、今回の大当たり遊技処理を終了する。
【０２０１】
ステップＳ３４０−１２において、メインＣＰＵ１１０ａは、ラウンドデータ初期化処理を行う。このラウンドデータ初期化処理では、メインＣＰＵ１１０ａは、開放回数（Ｋ）記憶領域内の開放回数（Ｋ）を０にするとともに、大入賞口入球数（Ｃ）記憶領域内の大入賞口入球数（Ｃ）を０にする。すなわち、本ステップＳ３４０−１２では、開放回数（Ｋ）記憶領域及び大入賞口入球数（Ｃ）記憶領域をクリアする。ただし、本ステップＳ３４０−１２では、動作回数（Ｒ）記憶領域はクリアしない。
【０２０２】
ステップＳ３４０−１２の実行後、メインＣＰＵ１１０ａは、動作回数（Ｒ）記憶領域内の動作回数（Ｒ）が最大値（具体的には、ステップＳ３３０−１２において決定した大入賞口開放態様決定テーブルに最大動作回数（Ｒ）として記憶されている回数）になったか否かを判定する（Ｓ３４０−１３）。
【０２０３】
動作回数（Ｒ）が最大値になっていないと判定した場合（Ｓ３４０−１３：Ｎｏ）、メインＣＰＵ１１０ａは、動作回数（Ｒ）記憶領域内の動作回数（Ｒ）に１を加算して更新し（Ｓ３４０−１４）、今回の大当たり遊技処理を終了する。
【０２０４】
動作回数（Ｒ）が最大値になったと判定した場合（Ｓ３４０−１３：Ｙｅｓ）、メインＣＰＵ１１０ａは、動作回数（Ｒ）記憶領域内の動作回数（Ｒ）をリセットして０にする（Ｓ３４０−１５）。
【０２０５】
ステップＳ３４０−１５の実行後、メインＣＰＵ１１０ａは、ステップＳ３３０−１２で決定した大入賞口開放態様決定テーブル（図９参照）に基づいて、大当たりの種類を判定し、大当たりの種類に応じたエンディングコマンドを生成し、このエンディングコマンドを演出用伝送データ格納領域にセットする（Ｓ３４０−１６）。
【０２０６】
ステップＳ３４０−１６の実行後、メインＣＰＵ１１０ａは、上記ステップＳ３３０−１２において決定した大入賞口開放態様決定テーブル（図９参照）に基づいて、大当たりの種類に応じた終了インターバル時間を求め、この終了インターバル時間を特別遊技タイマカウンタにセットする（Ｓ３４０−１７）。
【０２０７】
メインＣＰＵ１１０ａは、ステップＳ３４０−１７の実行後、又は、ステップＳ３４０−６においてエンディング中であると判定した場合（Ｓ３４０−６：Ｙｅｓ）、終了インターバル時間が経過したか否かを判定する（Ｓ３４０−１８）。具体的には、メインＣＰＵ１１０ａは、ステップＳ３４０−１７でセットした特別遊技タイマカウンタを参照し、特別遊技タイマカウンタが０であれば終了インターバル時間が経過したとみなし、特別遊技タイマカウンタが０でなければ終了インターバル時間が未だ経過していないとみなす。メインＣＰＵ１１０ａは、終了インターバル時間が未だ経過していないと判定した場合（Ｓ３４０−１８：Ｎｏ）、今回の大当たり遊技処理を終了する。
【０２０８】
メインＣＰＵ１１０ａは、終了インターバル時間が経過したと判定した場合（Ｓ３４０−１８：Ｙｅｓ）、特図特電処理データに４をセットし（Ｓ３４０−１９）、今回の特別図柄変動処理を終了する。この後の特図特電制御処理（図１８）では、ステップＳ３０２において大当たり遊技終了処理に処理が移り、大当たり遊技終了処理が行われる。
【０２０９】
図２４は、大当たり遊技終了処理の詳細を示すフローチャートである。図２４において、メインＣＰＵ１１０ａは、ステップＳ３１１−２で停止図柄データ記憶領域にセットした停止図柄データ及びステップＳ３１１−４で遊技状態バッファにセットした遊技情報をロードする（Ｓ３５０−１）。
【０２１０】
ステップＳ３５０−１の実行後、メインＣＰＵ１１０ａは、高確率遊技フラグ設定処理を行う（Ｓ３５０−２）。この高確率遊技フラグ設定処理では、メインＣＰＵ１１０ａは、ステップＳ３５０−１においてロードした停止図柄データ及び遊技情報に基づいて、大当たり遊技の終了時の高確率遊技フラグのセットの要否を決定する。本実施形態では、ステップＳ３５０−１においてロードした停止図柄データが「０１〜０４、０６〜０８」である場合は、高確率遊技フラグ記憶領域に高確率遊技フラグをセットし、それ以外の「０５、０９」である場合は、高確率遊技フラグ記憶領域に高確率遊技フラグをセットしない。
【０２１１】
ステップＳ３５０−２の実行後、メインＣＰＵ１１０ａは、高確率遊技回数設定処理を行う（Ｓ３５０−３）。この高確率遊技状態設定処理では、メインＣＰＵ１１０ａは、ステップＳ３５０−１においてロードした停止図柄データ及び遊技情報に基づいて、大当たり遊技の終了時に遊技回数（Ｘ）記憶領域に記憶する残り変動回数（Ｘ）を決定する。本実施形態では、ステップＳ３５０−１においてロードした停止図柄データが「０１〜０４、０６〜０８」である場合は、遊技回数（Ｘ）記憶領域に１００００回をセットし、それ以外の「０５、０９」である場合は、遊技回数（Ｘ）記憶領域に０回をセットする。
【０２１２】
ステップＳ３５０−３の実行後、メインＣＰＵ１１０ａは、時短遊技フラグ設定処理を行う（Ｓ３５０−４）。この時短遊技フラグ設定処理では、メインＣＰＵ１１０ａは、ステップＳ３５０−１においてロードした停止図柄データ及び遊技情報に基づいて、大当たり遊技の終了時の時短遊技フラグのセットの要否を決定する。本実施形態では、ステップＳ３５０−１においてロードした停止図柄データが「０１」〜「０９」である場合は、時短遊技フラグ記憶領域に時短遊技フラグをセットする。
【０２１３】
ステップＳ３５０−４の実行後、メインＣＰＵ１１０ａは、時短回数設定処理を行う（Ｓ３５０−５）。この時短回数設定処理では、メインＣＰＵ１１０ａは、ステップＳ３５０−１においてロードした停止図柄データ及び遊技情報に基づいて、大当たり遊技の終了時に遊技回数（Ｊ）記憶領域に記憶する残り変動回数（Ｊ）を決定する。本実施形態では、ステップＳ３５０−１においてロードした停止図柄データが「０１〜０４、０６〜０８」である場合は、遊技回数（Ｊ）記憶領域に１００００回をセットし、ステップＳ３５０−１においてロードした停止図柄データが「０５、０９」である場合は、遊技回数（Ｊ）記憶領域に１００回をセットする。
【０２１４】
ステップＳ３５０−５の実行後、メインＣＰＵ１１０ａは、高確率遊技フラグ記憶領域及び時短遊技フラグ記憶領域におけるフラグのセットの有無に基づいて現時点の遊技状態を求め、現時点の遊技状態に対応する遊技状態指定コマンドを生成し、この遊技状態指定コマンドを演出用伝送データ格納領域にセットする（Ｓ３５０−６）。
【０２１５】
ステップＳ３５０−６の実行後、メインＣＰＵ１１０ａは、特図特電処理データに０をセットし（Ｓ３５０−７）、大当たり遊技終了処理を終了する。この後の特図特電制御処理（図１８）では、ステップＳ３０２において特別図柄記憶判定処理に処理が移り、特別図柄記憶判定処理が行われる。
【０２１６】
図２５は、図１５の普図普電制御処理（Ｓ４００）の詳細を示すフローチャートである。図２５において、メインＣＰＵ１１０ａは、普図普電処理データの値をロードする（Ｓ４０１）。続くステップＳ４０２において、メインＣＰＵ１１０ａは、このロードした特図特電処理データから分岐アドレスを参照し、普図普電処理データ＝０であれば普通図柄記憶判定処理に処理を移し、普図普電処理データ＝１であれば普通図柄変動処理に処理を移し、普図普電処理データ＝２であれば普通図柄停止処理に処理を移し、普図普電処理データ＝３であれば補助遊技処理に処理を移す。
【０２１７】
普通図柄記憶判定処理、普通図柄変動処理、普通図柄停止処理、及び補助遊技処理の概要は次の通りである。普通図柄記憶判定処理（普図普電処理データ＝０の処理）では、メインＣＰＵ１１０ａは、普通図柄保留数（Ｇ）記憶領域内の普通図柄保留数（Ｇ）が１以上であるか否かを判定する。普通図柄保留数（Ｇ）が０である場合は今回の普通図柄記憶判定処理を終了する。普通図柄保留数（Ｇ）が１以上である場合は、普通図柄保留数（Ｇ）記憶領域内の普通図柄保留数（Ｇ）を１を減算して更新した後、普通図柄保留記憶領域内の第２〜第４記憶部内のデータを１つ前の記憶部にシフトさせ、第１記憶部内のデータを第０記憶部に書き込む。このとき、既に普通図柄保留記憶領域の第０記憶部に書き込まれていた普通図柄判定用乱数値は消去されることとなる。その後、メインＣＰＵ１１０ａは、図６（ｂ）に示す当たり判定テーブルを参照し、時短遊技フラグ記憶領域におけるフラグのセットの有無と普通図柄保留記憶領域の第０記憶部内の普通図柄判定用乱数値との組み合わせに基づいて、普通図柄抽選の抽選結果（当たり又はハズレ）を決定し、この抽選結果に応じた普通図柄変動時間（非時短遊技状態であれば２９秒、時短遊技状態であれば０．２秒）を決定する。その後、メインＣＰＵ１１０ａは、この普通図柄変動時間を普通図柄時間カウンタにセットすると共に普通図柄表示装置２２の普通図柄の変動を開始させ、普図普電処理データに「１」をセットする。
【０２１８】
普通図柄変動処理（普図普電処理データ＝１のときの処理）では、メインＣＰＵ１１０ａは、普通図柄変動時間が経過したか（普通図柄時間カウンタが０になったか）を判定し、普通図柄変動時間が経過していないと判定した場合、今回の普通図柄変動処理を終了する。普通図柄変動時間が経過したと判定した場合、普通図柄表示装置２２の普通図柄を普通図柄抽選結果に応じた図柄で停止表示させると共に所定の普通図柄停止時間を普通図柄時間カウンタにセットし、普図普電処理データに「２」をセットする。
【０２１９】
普通図柄停止処理（普図普電処理データ＝２のときの処理）では、メインＣＰＵ１１０ａは、普通図柄停止時間が経過したか（普通図柄時間カウンタが０になったか）を判定し、普通図柄停止時間が経過していないと判定した場合、今回の普通図柄停止処理を終了する。普通図柄停止時間が経過したと判定した場合、普通図柄表示装置２２の停止図柄が当たりの図柄であったか否かを判定する。普通図柄表示装置２２の停止図柄が当たりの図柄でなかった場合は、普図普電処理処理データに「０」をセットし、普通図柄表示装置２２が停止図柄が当たりの図柄であった場合は、普図普電処理データに「３」をセットする。
【０２２０】
補助遊技処理（普図普電処理データ＝３のときの処理）では、メインＣＰＵ１１０ａは、第２始動口１５の開放時間（非時短遊技状態であれば０．２秒、時短遊技状態であれば３．５秒）を決定し、この開放時間に亘って第２始動口１５を開放状態にし、その後に第２始動口１５を閉鎖状態にし、普図普電処理データに「０」をセットする。
【０２２１】
図２６は、遊技機１の演出制御基板１２０のメイン処理を示すフローチャートである。メイン処理は、遊技機１の電源基板１７０により電源が供給されて演出制御基板１２０のサブＣＰＵ１２０ａにシステムリセットが発生したことを契機として開始される。
【０２２２】
図２６において、サブＣＰＵ１２０ａは、初期化処理を行う（Ｓ１０００）。この初期化処理では、サブＣＰＵ１２０ａは、電源投入に応じて、サブＲＯＭ１２０ｂから起動プログラムを読み込むとともに、サブＲＡＭ１２０ｃ内の各種フラグを初期化する。
【０２２３】
次に、サブＣＰＵ１２０ａは、演出用乱数値更新処理を行う（Ｓ１１００）。この演出用乱数値更新処理では、演出用乱数値や演出図柄決定用乱数値等を更新する。これ以降、サブＣＰＵ１２０ａは、タイマ割り込み処理が発生するまでの間、ステップＳ１１００の処理を繰り返す。
【０２２４】
図２７は、演出制御基板１２０のタイマ割り込み処理を示すフローチャートである。演出制御基板１２０内には、所定時間（例えば、２ミリ秒）毎にリセット用クロックパルスを発生するリセット用クロックパルス発生器がある。演出制御基板１２０のサブＣＰＵ１２０ａは、このリセット用クロックパルス発生回路がリセット用クロックパルス信号を発生する度にタイマ割込み処理を実行する。
【０２２５】
図２７において、サブＣＰＵ１２０ａは、リセット用クロックパルス信号が発生すると、その時点におけるサブＣＰＵ１２０ａのレジスタ内の情報をスタック領域に退避させる（Ｓ１４００）。
【０２２６】
次に、サブＣＰＵ１２０ａは、タイマ更新処理を行う（Ｓ１５００）。このタイマ更新処理では、サブＣＰＵ１２０ａは、リーチタイマカウンタ等の各種タイマカウンタの更新処理を行う。
【０２２７】
次に、サブＣＰＵ１２０ａは、コマンド解析処理を行う（Ｓ１６００）。このコマンド解析処理は、主制御基板１１０から送信されたコマンドを受信してサブＲＡＭ１２０ｃの受信バッファに格納した時に割り込み処理として実行される処理である。このコマンド解析処理では、サブＣＰＵ１２０ａは、受信バッファ内のコマンドを解析し、この解析結果に基づいて、画像表示装置３１、第１音声出力装置３２ａ、演出用駆動装置３３、演出用照明装置３４による演出の内容を決定し、決定した演出の内容を示すコマンドをサブＲＡＭ１２０ｃの送信バッファにセットする。また、このコマンド解析処理では、サブＣＰＵ１２０ａは、コマンドの解析結果に基づいて、各種エラーの発生の有無を判定し、エラーが発生した場合はエラー報知を指示するコマンドをサブＲＡＭ１２０ｃの送信バッファにセットし、エラーが解消した場合はエラー報知の停止を指示するコマンドをサブＲＡＭ１２０ｃの送信バッファにセットする。このコマンド解析処理の手順の詳細は、後に説明する。
【０２２８】
次に、サブＣＰＵ１２０ａは、演出ボタン検出スイッチ３５ａの信号のチェックを行い、演出ボタン３５に関する演出入力制御処理を行う（Ｓ１７００）。
【０２２９】
次に、サブＣＰＵ１２０ａは、データ出力処理を行う（Ｓ１８００）。このデータ出力処理では、サブＣＰＵ１２０ａは、ステップＳ１６００のコマンド解析処理においてサブＲＡＭ１２０ｃの送信バッファに記憶した各種コマンドをランプ制御基板１４０及び画像制御基板１５０に送信する。ランプ制御基板１４０及び画像制御基板１５０は、このステップＳ１８００において送信されたコマンドに従って、画像表示装置３１、第１音声出力装置３２ａ、第２音声出力装置３２ｂ、演出用駆動装置３３、演出用照明装置３４を制御する。
【０２３０】
次に、サブＣＰＵ１２０ａは、ステップＳ１４００でスタック領域に退避した情報をサブＣＰＵ１２０ａのレジスタに復帰させる（Ｓ１９００）。
【０２３１】
図２８及び図２９は、図２７のコマンド解析処理（Ｓ１６００）の詳細を示すフローチャートである。図２８において、サブＣＰＵ１２０ａは、受信バッファ内に主制御基板１１０から受信したコマンドがあるか否かを確認する（Ｓ１６０１）。サブＣＰＵ１２０ａは、受信バッファ内にコマンドがある場合（Ｓ１６０１：Ｙｅｓ）、ステップＳ１６１０に進む。また、受信バッファ内にコマンドがない場合（Ｓ１６０１：Ｎｏ）、今回のコマンド解析処理を終了する。
【０２３２】
ステップＳ１６１０において、サブＣＰＵ１２０ａは、受信バッファ内のコマンドが特別図柄記憶指定コマンドであるか否かを確認する（Ｓ１６１０）。サブＣＰＵ１２０ａは、受信バッファ内のコマンドが特別図柄記憶指定コマンドである場合（Ｓ１６１０：Ｙｅｓ）、ステップＳ１６１１に進む。また、受信バッファ内のコマンドが特別図柄記憶指定コマンドでない場合（Ｓ１６１０：Ｎｏ）、ステップ１６２０に進む。
【０２３３】
ステップＳ１６１１において、サブＣＰＵ１２０ａは、特別図柄記憶数更新処理を行う。特別図柄記憶数更新処理は、主制御基板１１０の第１特別図柄保留数（Ｕ１）記憶領域内のものと同じ保留数を演出制御基板１２０の演出第１保留（Ｕｓ１）記憶領域に記憶し、主制御基板１１０の第２特別図柄保留数（Ｕ２）記憶領域内のものと同じ保留数を演出制御基板１２０の演出第２保留（Ｕｓ２）記憶領域に記憶する処理である。特別図柄記憶数更新処理では、サブＣＰＵ１２０ａは、特別図柄記憶指定コマンドを解析し、演出第１保留（Ｕｓ１）記憶領域に第１特別図柄保留数（Ｕ１）に対応する値を記憶し、演出第２保留（Ｕｓ２）記憶領域に第２特別図柄保留数（Ｕ２）に対応する値を記憶する。
【０２３４】
ステップＳ１６２０において、サブＣＰＵ１２０ａは、受信バッファ内のコマンドが始動入賞指定コマンドであるか否かを確認する。サブＣＰＵ１２０ａは、受信バッファ内のコマンドが始動入賞指定コマンドである場合（Ｓ１６２０：Ｙｅｓ）、ステップＳ１６２１に進む。また、受信バッファ内のコマンドが始動入賞指定コマンドでない場合（Ｓ１６２０：Ｎｏ）、ステップＳ１６３０に進む。
【０２３５】
ステップＳ１６２１において、サブＣＰＵ１２０ａは、先読み演出制御処理を行う。この先読み演出制御処理では、サブＣＰＵ１２０ａは、サブＲＡＭ１２０ｃの保留データ記憶領域内の第１〜第４記憶部におけるデータ未格納で且つ番号の最も小さい記憶部をデータの格納先とし、この記憶部に受信バッファ内の始動入賞指定コマンドを記憶する。また、サブＣＰＵ１２０ａは、始動入賞指定コマンドを解析し、その解析結果に基づいて先読み演出の要否を決定する。サブＣＰＵ１２０ａは、先読み演出を実行する場合、実行する先読み演出の演出パターン指定コマンドを生成し、この演出パターン指定コマンドを送信バッファにセットする。
【０２３６】
ステップＳ１６２１の先読み演出制御処理において送信バッファにセットされた演出パターン指定コマンドは、ステップＳ１８００のデータ出力処理において画像制御基板１５０及びランプ制御基板１４０に送信され、画像制御基板１５０及びランプ制御基板１４０による制御の下に画像表示装置３１、音声出力装置３２、演出用駆動装置３３、及び演出用照明装置３４が先読み演出を行う。
【０２３７】
ステップＳ１６３０において、サブＣＰＵ１２０ａは、受信バッファ内のコマンドが演出図柄指定コマンドであるか否かを確認する。サブＣＰＵ１２０ａは、受信バッファ内のコマンドが演出図柄指定コマンドである場合（Ｓ１６３０：Ｙｅｓ）、ステップＳ１６３１に進む。また、受信バッファ内のコマンドが演出図柄指定コマンドでない場合（Ｓ１６３０：Ｎｏ）、ステップＳ１６４０に進む。
【０２３８】
ステップＳ１６３１において、サブＣＰＵ１２０ａは、演出図柄決定処理を行う。演出図柄決定処理では、サブＣＰＵ１２０ａは、演出図柄指定コマンドを解析して、大当たりの当否、大当たりの種別を判定する。サブＣＰＵ１２０ａは、演出図柄指定コマンドが「ハズレ」のものである場合、「ハズレ」の組合せとなる左図柄３６Ｌ、中図柄３６Ｃ、及び右図柄３６Ｒの各停止図柄番号を決定する。その上で、サブＣＰＵ１２０ａは、決定した３つの停止図柄番号をサブＲＡＭ１２０ｃ内の演出図柄記憶領域に記憶するとともに、その３つの停止図柄番号を画像制御基板１５０及びランプ制御基板１４０に通知するための停止図柄指定コマンドを生成し、生成した停止図柄指定コマンドをサブＲＡＭ１２０ｃの送信バッファにセットする。
【０２３９】
また、サブＣＰＵ１２０ａは、演出図柄指定コマンドが「大当たり」のものである場合、「大当たり」の組合せとなる左図柄３６Ｌ、中図柄３６Ｃ、及び右図柄３６Ｒの各停止図柄番号を決定する。その上で、サブＣＰＵ１２０ａは、決定した３つの停止図柄番号をサブＲＡＭ１２０ｃ内の演出図柄記憶領域に記憶するとともに、その３つの停止図柄番号を画像制御基板１５０及びランプ制御基板１４０に通知するための停止図柄指定コマンドを生成し、生成した停止図柄指定コマンドをサブＲＡＭ１２０ｃの送信バッファにセットする。
【０２４０】
ステップＳ１６３１の演出図柄決定処理において送信バッファにセットされたコマンドは、ステップＳ１８００のデータ出力処理において画像制御基板１５０及びランプ制御基板１４０に送信され、画像制御基板１５０及びランプ制御基板１４０による制御の下に画像表示装置３１、第１音声出力装置３２ａ、演出用駆動装置３３、及び演出用照明装置３４が図柄停止に関わる演出を行う。
【０２４１】
ステップＳ１６４０において、サブＣＰＵ１２０ａは、受信バッファ内のコマンドが変動パターン指定コマンドであるか否かを確認する。サブＣＰＵ１２０ａは、受信バッファ内のコマンドが変動パターン指定コマンドである場合（Ｓ１６４０：Ｙｅｓ）、ステップＳ１６４１に進む。また、受信バッファ内のコマンドが変動パターン指定コマンドでない場合（Ｓ１６４０：Ｎｏ）、ステップＳ１６５０に進む。
【０２４２】
ステップＳ１６４１において、サブＣＰＵ１２０ａは、図柄変動演出パターン決定処理を行う（Ｓ１６４２）。この図柄変動演出パターン決定処理では、サブＣＰＵ１２０ａは、ステップＳ１１００で更新した乱数値の１つである演出用乱数値を取得する。サブＣＰＵ１２０ａは、図柄変動演出パターン決定テーブル（図１２）を参照し、受信バッファ内における当該変動の変動パターン指定コマンドと演出用乱数値との組み合わせに基づいて、図柄変動演出パターンを決定し、決定した図柄変動演出パターンの情報をサブＲＡＭ１２０ｃ内の図柄変動演出パターン記憶領域に記憶する。また、サブＣＰＵ１２０ａは、決定した図柄変動演出パターンの演出パターン指定コマンドを生成し、この演出パターン指定コマンドを送信バッファにセットする。
【０２４３】
この図柄変動演出パターン決定処理において送信バッファにセットされたコマンドは、ステップＳ１８００のデータ出力処理において画像制御基板１５０及びランプ制御基板１４０に送信され、画像制御基板１５０及びランプ制御基板１４０による制御の下に画像表示装置３１、第１音声出力装置３２ａ、演出用駆動装置３３、及び演出用照明装置３４が図柄変動に関わる演出を行う。
【０２４４】
図２９のステップＳ１６５０において、サブＣＰＵ１２０ａは、受信バッファ内のコマンドが図柄確定コマンドであるか否かを確認する。サブＣＰＵ１２０ａは、受信バッファ内のコマンドが図柄確定コマンドである場合（Ｓ１６５０：Ｙｅｓ）、ステップＳ１６５１に進む。また、受信バッファ内のコマンドが図柄確定コマンドでない場合（Ｓ１６５０：Ｎｏ）、ステップＳ１６６０に進む。
【０２４５】
ステップＳ１６５１において、サブＣＰＵ１２０ａは、演出図柄停止処理を行う。この演出図柄停止処理では、サブＣＰＵ１２０ａは、演出図柄を停止させるための停止指定コマンドを生成し、この停止指定コマンドをサブＲＡＭ１２０ｃの送信バッファにセットする。この停止指定コマンドは、ステップＳ１８００のデータ出力処理において画像制御基板１５０及びランプ制御基板１４０に送信され、画像制御基板１５０及びランプ制御基板１４０による制御の下に画像表示装置３１、第１音声出力装置３２ａ、演出用駆動装置３３、及び演出用照明装置３４が図柄停止に関わる演出を行う。
【０２４６】
ステップＳ１６６０において、サブＣＰＵ１２０ａは、受信バッファ内のコマンドが遊技状態指定コマンドであるか否かを判定する。サブＣＰＵ１２０ａは、受信バッファ内のコマンドが遊技状態指定コマンドである場合（Ｓ１６６０：Ｙｅｓ）、ステップＳ１６６１に進む。また、受信バッファ内のコマンドが遊技状態指定コマンドでない場合（Ｓ１６６０：Ｎｏ）、ステップＳ１６７０に進む。
【０２４７】
ステップＳ１６６１において、サブＣＰＵ１２０ａは、遊技状態設定処理を行う。遊技状態設定処理では、サブＣＰＵ１２０ａは、受信バッファ内の遊技状態指定コマンドを解析して、現在の遊技状態を求め、求めた遊技状態を示す遊技状態情報をサブＲＡＭ１２０ｃの遊技状態記憶領域に記憶する。
【０２４８】
ステップＳ１６７０において、サブＣＰＵ１２０ａは、受信バッファ内のコマンドがオープニングコマンドであるか否かを確認する。サブＣＰＵ１２０ａは、受信バッファ内のコマンドがオープニングコマンドである場合（Ｓ１６７０：Ｙｅｓ）、ステップＳ１６７１に進む。また、受信バッファ内のコマンドがオープニングコマンドでない場合（Ｓ１６７０：Ｎｏ）、ステップＳ１６８０に進む。
【０２４９】
ステップＳ１６７１において、サブＣＰＵ１２０ａは、当たり開始演出パターン決定処理を行う。当たり開始演出パターン決定処理では、サブＣＰＵ１２０ａは、受信バッファ内のオープニングコマンドを解析して、当たり開始演出パターンを決定し、決定した当たり開始演出パターンの情報をサブＲＡＭ１２０ｃの演出パターン記憶領域にセットする。また、サブＣＰＵ１２０ａは、決定した当たり演出開始パターンの演出パターン指定コマンドを送信バッファにセットする。この演出パターン指定コマンドは、ステップＳ１８００のデータ出力処理において画像制御基板１５０及びランプ制御基板１４０に送信され、画像制御基板１５０及びランプ制御基板１４０による制御の下に画像表示装置３１、第１音声出力装置３２ａ、演出用駆動装置３３、及び演出用照明装置３４が特別遊技のオープニングに関わる演出を行う。
【０２５０】
ステップＳ１６８０において、サブＣＰＵ１２０ａは、受信バッファ内のコマンドが大入賞口開放指定コマンドであるか否かを確認する。サブＣＰＵ１２０ａは、受信バッファ内のコマンドが大入賞口開放指定コマンドである場合（Ｓ１６８０：Ｙｅｓ）、ステップＳ１６８１に進む。また、受信バッファ内のコマンドが大入賞口開放指定コマンドでない場合（Ｓ１６８０：Ｎｏ）、ステップＳ１６９０に進む。
【０２５１】
ステップＳ１６８１において、サブＣＰＵ１２０ａは、大当たり演出パターン決定処理を行う。大当たり演出パターン決定処理では、サブＣＰＵ１２０ａは、受信バッファ内の大入賞口開放指定コマンドを解析して、大当たり演出パターンを決定し、決定した大当たり演出パターンの情報をサブＲＡＭ１２０ｃの演出パターン記憶領域にセットする。また、サブＣＰＵ１２０ａは、決定した大当たり演出パターンの演出パターン指定コマンドを生成し、この演出パターン指定コマンドをサブＲＡＭ１２０ｃの送信バッファにセットする。この演出パターン指定コマンドは、ステップＳ１８００のデータ出力処理において画像制御基板１５０及びランプ制御基板１４０に送信され、画像制御基板１５０及びランプ制御基板１４０による制御の下に画像表示装置３１、第１音声出力装置３２ａ、演出用駆動装置３３、及び演出用照明装置３４が特別遊技の大入賞口開閉に関わる演出を行う。
【０２５２】
ステップＳ１６９０において、サブＣＰＵ１２０ａは、受信バッファ内のコマンドがエンディングコマンドであるか否かを確認する。サブＣＰＵ１２０ａは、受信バッファ内のコマンドがエンディングコマンドである場合（Ｓ１６９０：Ｙｅｓ）、ステップＳ１６９１に進む。受信バッファ内のコマンドがエンディングコマンドでない場合（Ｓ１６９０：Ｎｏ）、ステップＳ１７００に進む。
【０２５３】
ステップＳ１６９１において、サブＣＰＵ１２０ａは、当たり終了演出パターン決定処理を行う。この当たり終了演出パターン決定処理では、サブＣＰＵ１２０ａは、受信バッファ内のエンディングコマンドを解析して、当たり終了演出パターンを決定し、決定した当たり終了演出パターンの情報をサブＲＡＭ１２０ｃの演出パターン記憶領域にセットする。また、サブＣＰＵ１２０ａは、決定した当たり終了演出パターンの演出パターン指定コマンドを生成し、この演出パターン指定コマンドをサブＲＡＭ１２０ｃの送信バッファにセットする。この演出パターン指定コマンドは、ステップＳ１８００のデータ出力処理において画像制御基板１５０及びランプ制御基板１４０に送信され、画像制御基板１５０及びランプ制御基板１４０による制御の下に画像表示装置３１、第１音声出力装置３２ａ、演出用駆動装置３３、及び演出用照明装置３４が特別遊技のエンディングに関わる演出を行う。
【０２５４】
ステップＳ１７００において、サブＣＰＵ１２０ａは、受信バッファ内のコマンドがエラーコマンドであるか否かを判定する。サブＣＰＵ１２０ａは、受信バッファ内のコマンドがエラーコマンドである場合（Ｓ１７００：Ｙｅｓ）、ステップＳ１７０１に進む。また、受信バッファ内のコマンドがエラーコマンドでない場合（Ｓ１７００：Ｎｏ）、ステップＳ１８００に進む。
【０２５５】
ステップＳ１７０１において、サブＣＰＵ１２０ａは、エラー通知制御処理を行う。このエラー通知制御処理では、サブＣＰＵ１２０ａは、受信バッファ内のエラーコマンドを解析して、発生したエラーの種類を特定するとともに、エラー報知態様決定テーブル（図１３）を参照し、演出用照明装置３４（ランプ）の点灯によるランプエラー報知、画像表示装置３１内のエラーメッセージによる画像エラー報知、第１音声出力装置３２ａによる音声エラー報知、及び第２音声出力装置３２ｂによる音声エラー報知の何れを行うかを決定し、決定したエラー報知を実行させる。
【０２５６】
より詳細に説明すると、サブＣＰＵ１２０ａは、発生したエラーが皿満タンエラーであった場合、画像表示装置３１によるエラー報知を指示する画像エラー報知コマンド及び第２音声出力装置３２ｂによるエラー報知を指示する第２音声エラー報知コマンドを生成し、これらのコマンドをサブＲＡＭ１２０ｃの送信バッファにセットする。送信バッファにセットされた画像エラー報知コマンド及び第２音声エラー報知コマンドは、ステップＳ１８００のデータ出力処理において画像制御基板１５０に送信される。画像制御基板１５０は、画像エラー報知コマンド及び第２音声エラー報知コマンドを受信すると、画像表示装置３１に「球を抜いてください」というエラーメッセージを表示させるとともに第２音声出力装置３２ｂに「球を抜いてください」というエラー報知音を出力させる。このとき、第１音声出力装置３２ａからは通常の遊技音が出力されている。なお、「球を抜いてください」というエラーメッセージ表示およびエラー報知音は、エラー原因が解消されたことにより共に終了する。また、皿満タンエラーが起こった際には、メインＣＰＵ１１０ａは、払出装置の動作を停止させる処理を行い、エラー原因が解消されたことにより払出装置の動作を再開させている。
【０２５７】
サブＣＰＵ１２０ａは、発生したエラーが、カウンターケースエラー、計数スイッチ断線エラー、球無しエラー、払出超過エラー、または、払出コマンドエラーであった場合、演出用照明装置３４によるエラー報知を指示するランプエラー報知コマンド及び画像表示装置３１によるエラー報知を指示する画像エラー報知コマンドを生成し、これらのコマンドをサブＲＡＭ１２０ｃの送信バッファにセットする。送信バッファにセットされたランプエラー報知コマンド及び画像エラー報知コマンドは、ステップＳ１８００のデータ出力処理においてランプ制御基板１４０及び画像制御基板１５０に送信される。ランプ制御基板１４０は、ランプエラー報知コマンドを受信すると、演出用照明装置３４を点灯状態にする。画像制御基板１５０は、画像エラー報知コマンドを受信すると、画像表示装置３１に「係員をお呼びください」というエラーメッセージを表示させる。このとき、第１音声出力装置３２ａからは通常の遊技音が出力されている。なお、「係員をお呼びください」というエラーメッセージ表示は、検出されたエラー原因が解消されることにより終了する。また、カウンターケースエラー、計数スイッチ断線エラー、球無しエラー、または、払出コマンドエラーが起こった際には、メインＣＰＵ１１０ａは、払出装置の動作を停止させる処理を行い、エラー原因が解消されたことにより払出装置の動作を再開させている。
【０２５８】
サブＣＰＵ１２０ａは、発生したエラーが扉開放エラーであった場合、画像表示装置３１によるエラー報知を指示する画像エラー報知コマンド及び第１音声出力装置３２ａによるエラー報知を指示する第１音声エラー報知コマンドを生成し、これらのコマンドをサブＲＡＭ１２０ｃの送信バッファにセットする。送信バッファにセットされた画像エラー報知コマンド及び第１音声エラー報知コマンドは、ステップＳ１８００のデータ出力処理において画像制御基板１５０に送信される。画像制御基板１５０は、画像エラー報知コマンド及び第１音声エラー報知コマンドを受信すると、画像表示装置３１に「扉開放エラー」というエラーメッセージを表示させるとともに第１音声出力装置３２ａに「扉が開いています」というエラー報知音を出力させる。このとき、通常の遊技音の出力をしないで（ミュートにして）第１音声出力装置３２ａから「扉が開いています」というエラー報知音を最大音量にて出力している。なお、「扉が開いています」というエラー報知音は、扉が開放されてから所定時間（例えば５分）が経過するか扉が閉鎖されてから５秒経過することによって終了する。また、「扉開放エラー」というエラーメッセージ表示は扉が閉じられるまで継続して表示し、扉が閉じられることにより終了する。また、扉開放エラーが起こった際には、メインＣＰＵ１１０ａは、通常の遊技と同じ動作をしている。
【０２５９】
サブＣＰＵ１２０ａは、発生したエラーがスイッチ未接続エラーであった場合、演出用照明装置３４によるエラー報知を指示するランプエラー報知コマンド、画像表示装置３１によるエラー報知を指示する画像エラー報知コマンド、及び第１音声出力装置３２ａによるエラー報知を指示する第１音声エラー報知コマンドを生成し、これらのコマンドをサブＲＡＭ１２０ｃの送信バッファにセットする。送信バッファにセットされたランプエラー報知コマンド、画像エラー報知コマンド、及び第１音声エラー報知コマンドは、ステップＳ１８００のデータ出力処理においてランプ制御基板１４０及び画像制御基板１５０に送信される。ランプ制御基板１４０は、ランプエラー報知コマンドを受信すると、演出用照明装置３４を点灯状態にする。また、画像制御基板１５０は、画像エラー報知コマンド及び第１音声エラー報知コマンドを受信すると、画像表示装置３１に「スイッチ未接続エラー」というエラーメッセージを表示させるとともに第１音声出力装置３２ａに「スイッチ未接続エラーです」というエラー報知音を出力させる。このとき、通常の遊技音の出力をしないで（ミュートにして）第１音声出力装置３２ａから「スイッチ未接続エラーです」というエラー報知音を最大音量にて出力している。なお、「スイッチ未接続エラーです」というエラーメッセージ表示およびエラー報知音は、エラー原因が解消されたことにより共に終了する。また、スイッチ未接続エラーが起こった際には、メインＣＰＵ１１０ａは、通常の遊技と同じ動作をしている。
【０２６０】
サブＣＰＵ１２０ａは、発生したエラーが異常入賞エラーであった場合、演出用照明装置３４によるエラー報知を指示するランプエラー報知コマンド及び第１音声出力装置３２ａによるエラー報知を指示する第１音声エラー報知コマンドを生成し、これらのコマンドをサブＲＡＭ１２０ｃの送信バッファにセットする。送信バッファにセットされたランプエラー報知コマンド及び第１音声エラー報知コマンドは、ステップＳ１８００のデータ出力処理においてランプ制御基板１４０及び画像制御基板１５０に送信される。ランプ制御基板１４０は、ランプエラー報知コマンドを受信すると、演出用照明装置３４を点灯状態にする。画像制御基板１５０は、第１音声エラー報知コマンドを受信すると、第１音声出力装置３２ａに「異常入賞エラーです」というエラー報知音を出力させる。このとき、通常の遊技音の出力をしないで（ミュートにして）第１音声出力装置３２ａから「異常入賞エラーです」というエラー報知音を最大音量にて出力している。なお、「異常入賞エラーです」というエラー報知音は、異常入賞が検出されてから所定時間（例えば３０秒）が経過することによって終了する。また、異常入賞エラーが起こった際には、メインＣＰＵ１１０ａは、通常の遊技と同じ動作をしている。
【０２６１】
サブＣＰＵ１２０ａは、発生したエラーが、磁石検出エラー、または電波検出エラーであった場合、スイッチ未接続エラーの発生時と同様に、演出用照明装置３４によるエラー報知を指示するランプエラー報知コマンド、画像表示装置３１によるエラー報知を指示する画像エラー報知コマンド、及び第１音声出力装置３２ａによるエラー報知を指示する第１音声エラー報知コマンドを生成し、これらのコマンドをサブＲＡＭ１２０ｃの送信バッファにセットする。送信バッファにセットされたランプエラー報知コマンド、画像エラー報知コマンド、及び第１音声エラー報知コマンドは、ステップＳ１８００のデータ出力処理において画像制御基板１５０に送信される。ランプ制御基板１４０は、ランプエラー報知コマンドを受信すると、演出用照明装置３４を点灯状態にする。画像制御基板１５０は、画像エラー報知コマンド及び第１音声エラー報知コマンドを受信すると、エラー種類に応じて画像表示装置３１に「磁石検知」または「電波検知」というエラーメッセージを表示させるとともに第１音声出力装置３２ａに「磁石を検知しました」または「電波を検知しました」というエラー報知音を出力させる。このとき、通常の遊技音の出力をしないで（ミュートにして）第１音声出力装置３２ａからエラー報知音を最大音量にて出力している。なお、エラー報知音は、エラーを検知してから所定時間（例えば３０秒）が経過することによって終了する。また、エラーメッセージ表示は、エラーを検知してから所定時間（例えば３００秒）が経過することにより終了する。また、磁石検出エラー、または電波検出エラーが起こった際には、メインＣＰＵ１１０ａは、通常の遊技と同じ動作をしている。
【０２６２】
サブＣＰＵ１２０ａは、発生したエラーが、排出エラーであった場合、スイッチ未接続エラーの発生時と同様に、演出用照明装置３４によるエラー報知を指示するランプエラー報知コマンド、画像表示装置３１によるエラー報知を指示する画像エラー報知コマンド、及び第１音声出力装置３２ａによるエラー報知を指示する第１音声エラー報知コマンドを生成し、これらのコマンドをサブＲＡＭ１２０ｃの送信バッファにセットする。送信バッファにセットされたランプエラー報知コマンド、画像エラー報知コマンド、及び第１音声エラー報知コマンドは、ステップＳ１８００のデータ出力処理において画像制御基板１５０に送信される。ランプ制御基板１４０は、ランプエラー報知コマンドを受信すると、演出用照明装置３４を点灯状態にする。画像制御基板１５０は、画像エラー報知コマンド及び第１音声エラー報知コマンドを受信すると、画像表示装置３１に「排出エラー」というエラーメッセージを表示させるとともに第１音声出力装置３２ａに「排出エラーです」というエラー報知音を出力させる。このとき、通常の遊技音の出力をしないで（ミュートにして）第１音声出力装置３２ａからエラー報知音を最大音量にて出力している。なお、エラー報知音は、エラーを検知してから所定時間（例えば３０秒）が経過することによって終了する。また、エラーメッセージ表示は、エラーを検知してから所定時間（例えば３０秒）が経過することにより終了する。また、排出エラーが起こった際には、メインＣＰＵ１１０ａは、通常の遊技と同じ動作をしている。
【０２６３】
図２９のステップＳ１８００において、サブＣＰＵ１２０ａは、受信バッファ内のコマンドがエラー終了コマンドであるか否かを判定する。サブＣＰＵ１２０ａは、受信バッファ内のコマンドがエラー終了コマンドである場合（Ｓ１８００：Ｙｅｓ）、ステップＳ１８０１に進む。また、受信バッファ内のコマンドがエラー終了コマンドでない場合（Ｓ１８００：Ｎｏ）、今回のコマンド解析処理を終了する。
【０２６４】
ステップＳ１８０１において、サブＣＰＵ１２０ａは、エラー終了制御処理を行う。このエラー終了制御処理では、サブＣＰＵ１２０ａは、演出用照明装置３４、画像表示装置３１、第１音声出力装置３２ａ、及び第２音声出力装置３２ｂのうちエラー報知を実行しているものの停止を指示するエラー報知終了コマンドを生成し、このコマンドをサブＲＡＭ１２０ｃの送信バッファにセットする。送信バッファにセットされたエラー報知終了コマンドは、ステップＳ１８００のデータ出力処理においてランプ制御基板１４０、画像制御基板１５０に送信される。ランプ制御基板１４０及び画像制御基板１５０は、エラー報知終了コマンドを受信すると、エラー種類に応じて定められた所定のタイミングでエラー報知を停止する。
【０２６５】
以上が、本実施形態の詳細である。本実施形態では、遊技者にだけ知らせればよい種類のエラーのエラー報知音が、遊技者に指向軸を向けた第２音声出力装置３２ｂから出力される。よって、遊技者にだけ知らせればよい種類のエラーの発生が遊技者以外の者に知られてしまい、遊技者が恥ずかしい思いをする、という事態の発生を防止することができる。
【０２６６】
＜第２実施形態＞
次に、本発明の第２実施形態について説明する。上記実施形態では、指向性スピーカである第２音声出力装置３２ｂの指向軸は遊技者に向けられていた。これに対し、本実施形態では、第２音声出力装置３２ｂの指向軸を遊技者以外の特定の者であるホールの係員に向ける。その上で、遊技者に気づかれずにホールの係員に知らせることが望ましい種類のエラーが発生した場合に、第２音声出力装置３２ｂからエラー報知音を出力する。
【０２６７】
本実施形態では、制御基板１２０のサブＲＯＭ１２０ｂ内のエラー報知態様決定テーブルのデータ構造が第１実施形態のものと異なる。本実施形態における制御基板１２０のサブＣＰＵ１２０ａの処理内容は、第１実施形態（図２６、図２７、図２８、図２９）と同様である。図３０は、本実施形態におけるエラー報知態様決定テーブルのデータ構造を概念的に示す図である。本実施形態のエラー報知態様決定テーブルでは、皿満タンエラー、異常入賞エラー、排出エラー、磁石検出エラー、及び電波検出エラーのデータの内容が、第１実施形態のものと異なっている。
【０２６８】
図３０のエラー報知態様決定テーブルでは、皿満タンエラーについては、演出用照明装置３４によるランプエラー通知が「なし」になっており、画像表示装置３１による画像エラー報知が「あり」になっており、第１音声出力装置３２ａによる音声エラー通知が「あり」になっており、第２音声出力装置３２ｂによる音声エラー通知が「なし」になっている。
【０２６９】
また、異常入賞エラー、排出エラー、磁石検出エラー、及び電波検出エラーについては、演出用照明装置３４によるランプエラー報知が「なし」になっており、画像表示装置３１による画像エラー報知が「なし」になっており、第１音声出力装置３２ａによる音声エラー通知が「なし」になっており、第２音声出力装置３２ｂによる音声エラー通知が「あり」になっている。
【０２７０】
皿満タンエラー、扉開放エラー、スイッチ未接続エラー、異常入賞エラー、排出エラー、磁石検出エラー、及び電波検出エラーは、音声によるエラーの発生の報知を要するエラーであり、それらのうち異常入賞エラー、排出エラー、磁石検出エラー、及び電波検出エラーは、遊技者に気づかれずに遊技者以外の特定の者（ホールの係員）に知らせることが望ましいエラーである。本実施形態では、異常入賞エラー、排出エラー、磁石検出エラー、または、電波検出エラーが発生した場合、ホールの係員の方向に鋭い指向性を持った指向性スピーカである第２音声出力装置３２ｂから報知音を出力することにより、遊技者に気づかれることなくホールの係員にエラーの発生を知らせることができる。
【０２７１】
以上が、本実施形態の詳細である。本実施形態では、遊技者に気づかれずに遊技者以外の特定の者に知らせることが望ましいエラーのエラー報知音が、遊技者以外の特定の者に指向軸を向けた第２音声出力装置３２ｂから出力される。よって、本実施形態によると、不正行為を遊技者に気づかれることなくホールの係員（遊技者以外の特定の者）に知らせることができる。従って、本実施形態によると、ホールの係員が不正操作行為（ゴト行為）の現場を取り逃がす、という事態の発生を防止することができる。
【０２７２】
以上、本発明の第１及び第２実施形態について説明したが、かかる実施形態に以下の変形を加えてもよい。
（１）上記第１及び第２実施形態では、遊技機１における第２音声出力装置３２ｂの個数は１個であった。しかし、遊技機１における第２音声出力装置３２ｂの個数を左右２チャネルの２個にし、左チャネルの第２音声出力装置３２ｂと右チャネルの第２音声出力装置３２ｂのゲイン差を調整することによって指向性を実現してもよい。
【０２７３】
（２）第１及び第２実施形態において、第２音声出力装置３２ｂをアレイスピーカにより構成してもよい。アレイスピーカは、複数個のスピーカユニットをアレイ状に配列し、各スピーカユニットに供給する音信号のゲインと遅延量に差をつけることにより、音波放射方向における特定の点に強い指向性を持った音響ビームを放射できるものである。第２音声出力装置３２ｂをこのアレイスピーカで実現することにより、上記第１及び第２実施形態の第２音声出力装置３２ｂよりも鋭い指向性を実現できる。
【符号の説明】
【０２７４】
１…遊技機、２…遊技盤、１４…第１始動口、１４ａ…第１始動口検出スイッチ、１５…第２始動口、１５ａ…第２始動口検出スイッチ、１６…第１大入賞口、１６ａ…第１大入賞口検出スイッチ、１７…第２大入賞口、１７ａ…第２大入賞口検出スイッチ、２０…第１特別図柄表示装置、２１…第２特別図柄表示装置、３１…画像表示装置、３５…演出ボタン、３５ａ…演出ボタン検出スイッチ、１１０…主制御基板、１１０ａ…メインＣＰＵ、１１０ｂ…メインＲＯＭ、１１０ｃ…メインＲＡＭ、１２０…演出制御基板、１２０ａ…サブＣＰＵ、１２０ｂ…サブＲＯＭ、１２０ｃ…サブＲＡＭ、１５０…画像制御基板、１５０ａ…ホストＣＰＵ、１５０ｂ…ホストＲＡＭ、１５０ｃ…ホストＲＯＭ、１５１…ＣＧＲＯＭ、１５３…ＶＲＡＭ、２０００…ＶＤＰ。
【図２】
2016013334.tif 000003
【図１】
2016013334.tif 000004
【図３】
2016013334.tif 000005
【図４】
2016013334.tif 000006
【図５】
2016013334.tif 000007
【図６】
2016013334.tif 000008
【図７】
2016013334.tif 000009
【図８】
2016013334.tif 000010
【図９】
2016013334.tif 000011
【図１０】
2016013334.tif 000012
【図１１】
2016013334.tif 000013
【図１２】
2016013334.tif 000014
【図１３】
2016013334.tif 000015
【図１４】
2016013334.tif 000016
【図１５】
2016013334.tif 000017
【図１６】
2016013334.tif 000018
【図１７】
2016013334.tif 000019
【図１８】
2016013334.tif 000020
【図１９】
2016013334.tif 000021
【図２０】
2016013334.tif 000022
【図２１】
2016013334.tif 000023
【図２２】
2016013334.tif 000024
【図２３】
2016013334.tif 000025
【図２４】
2016013334.tif 000026
【図２５】
2016013334.tif 000027
【図２６】
2016013334.tif 000028
【図２７】
2016013334.tif 000029
【図２８】
2016013334.tif 000030
【図２９】
2016013334.tif 000031
【図３０】
2016013334.tif 000032